(57)【要約】【課題】  情報処理装置におけるスイッチの論理状態の変化により電力供給を開始するとともに、スイッチの状態によりロード／イジェクト機構を動作させ、更にそのときの状態により電力供給の停止／継続を自動的に行う。【解決手段】  情報記憶装置２が電源制御装置１３を具備する。この電源制御装置１３は、常時電源供給装置８からの電力の供給を受けて動作する。また、電源供給装置７から情報記憶装置２への電力供給停止中にスイッチ１７、１８の押下状態が変化したときに、電源供給装置７を制御して、情報記憶装置２、または情報記憶装置２および制御装置３への電力供給を行わせて、リムーバブル媒体１のロード／イジェクト機構１２を作動させる。【選択図】        図１
2005222679.tif 000002
【特許請求の範囲】
【請求項１】
スイッチの押下状態の変化によってリムーバブル媒体のためのロード／イジェクト機構を作動させる情報記憶装置と、
この情報記憶装置を制御して前記リムーバブル媒体へのデータの記録および／または前記リムーバブル媒体からのデータの読み出しを行う制御装置と、
前記情報記憶装置および制御装置へ電力を供給および供給停止可能な電源供給装置と、
前記電源供給装置による電力の供給停止時も電力を供給可能な常時電源供給装置と、
前記常時電源供給装置からの電力の供給を受けて動作するとともに、前記電源供給装置から前記情報記憶装置への電力供給停止中に前記スイッチの押下状態が変化したときに、前記電源供給装置を制御して、前記情報記憶装置、または前記情報記憶装置および前記制御装置への電力供給を行わせて、前記リムーバブル媒体のロード／イジェクト機構を作動させるように前記情報記憶装置を制御する電源制御装置とを具備することを特徴とする情報処理装置。
【請求項２】
電源制御装置は、
ロード／イジェクト機構を動作させるように情報記憶装置を制御してリムーバブル媒体をイジェクトさせた場合には、イジェクト動作終了後に電源供給装置からの電力供給を停止し、
かつ前記ロード／イジェクト機構を動作させるように前記情報記憶装置を制御して前記リムーバブル媒体をロードさせた場合には、ロード動作終了後も前記電源供給装置からの電力供給を停止しない、
ように制御を行う構成であることを特徴とする請求項１記載の情報処理装置。
【請求項３】
電源制御装置は、
情報記憶装置への電力供給停止中にスイッチの押下状態が変化してリムーバブル媒体をイジェクトする際には、電源供給装置を制御して情報記憶装置への電力供給を行い、
情報記憶装置への電力供給停止中にスイッチの押下状態が変化してリムーバブル媒体をロードする際には、電源供給装置を制御して情報記憶装置および制御装置への電力供給を行い、
前記リムーバブル媒体をイジェクトさせた場合には、イジェクト動作終了後に前記電源供給装置を制御して前記情報記憶装置への電力供給を停止し、
前記リムーバブル媒体をロードさせた場合には、ロード動作終了後も前記電源供給装置の電力供給を停止しない、
ように制御を行う構成であることを特徴とする請求項２記載の情報処理装置。
【請求項４】
スイッチの押下状態の変化によってリムーバブル媒体のためのロード／イジェクト機構を作動させる情報記憶装置と、
この情報記憶装置を制御して前記リムーバブル媒体へのデータの記録および／または前記リムーバブル媒体からのデータの読み出しを行う制御装置と、
前記情報記憶装置および制御装置へ電力を供給および供給停止可能な電源供給装置と、
前記電源供給装置による電力の供給停止時も電力を供給可能な常時電源供給装置と、
前記電源供給装置の電源供給を開始および停止し、電源供給開始時にはＯＳ上で実行されるユーザープログラムにより汎用処理を行うことができる通常起動モードで前記制御装置を起動する電源スイッチと、
前記常時電源供給装置からの電力の供給を受けて動作するとともに、前記電源供給装置から前記情報記憶装置への電力供給停止中に前記情報記憶装置の外部あるいは内部に設けられたスイッチの押下状態が変化したときに、前記電源供給装置を制御して、前記情報記憶装置、または前記情報記憶装置および前記制御装置への電力供給を行わせたのち、前記リムーバブル媒体に記録された予め定めたフォーマットのデータを再生または処理するためのインスタント起動モードで前記制御装置を起動し、前記スイッチの押下状態の変化に応じて、前記リムーバブル媒体のロード／イジェクト機構を作動させるように前記情報記憶装置を制御する電源制御装置とを具備することを特徴とする情報処理装置。
【請求項５】
電源制御装置は、インスタント起動モードで起動した際に、
ロード／イジェクト機構を動作させるように情報記憶装置を制御してリムーバブル媒体をイジェクトさせた場合には、イジェクト動作終了後に電源供給装置からの電力供給を停止し、
情報記憶装置内にリムーバブル媒体が存在しない場合には電源供給装置からの電力供給を停止し、
前記ロード／イジェクト機構を動作させるように前記情報記憶装置を制御して前記リムーバブル媒体をロードさせた場合には、ロード動作終了後も電供給装置からの電力供給を停止しない、
ように制御を行う構成であることを特徴とする請求項４記載の情報処理装置。
【請求項６】
電源制御装置は、
インスタント起動モードで起動した際にリムーバブル媒体上のデータの種類を判別し、予め定めたフォーマットのデータが記録されている場合には該当データの再生または処理を行い、予め定めたフォーマットのデータが記録されていない場合には電源供給装置を制御して電力供給を停止するように制御を行う構成であることを特徴とする請求項４記載の情報処理装置。
【請求項７】
電源制御装置は、
インスタント起動モードで起動した際にリムーバブル媒体上のデータの種類を判別し、予め定めたフォーマットのデータが記録されている場合には該当データの再生または処理を行い、予め定めたフォーマットのデータが記録されていない場合には通常モードでの再起動を行うように制御を行う構成であることを特徴とする請求項４記載の情報処理装置。
【請求項８】
予め定めたフォーマットのデータが、ＤＶＤ−Ｖｉｄｅｏ、Ｖｉｄｅｏ  ＣＤ、ＣＤ  Ａｕｄｉｏなどの、動画、音声データ規格のデータであることを特徴とする請求項４から７までのいずれか１項記載の情報処理装置。
【請求項９】
情報記憶装置の外部に設けられた第１のスイッチの押下によりリムーバブル媒体のためのロード／イジェクト機構を作動させて前記リムーバブル媒体をイジェクトするように構成されるとともに、
情報記憶装置の内部に設けられた第２のスイッチの押下状態が、前記リムーバブル媒体の挿入により変化することで、前記リムーバブル媒体のためのロード／イジェクト機構を作動させて前記リムーバブル媒体をロードし、前記リムーバブル媒体からのデータを読み出し可能および／または前記リムーバブル媒体へデータを記録可能とするように構成されている、
ことを特徴とする請求項１から８までのいずれか１項記載の情報処理装置。
【請求項１０】
電源供給装置からの情報記憶装置への電力供給の停止中に第１のスイッチの押下を検出した際に、この第１のスイッチの押下された論理状態を保持するとともに、リムーバブル媒体のためのロード／イジェクト機構を作動させて前記リムーバブル媒体をロードまたはイジェクトした際に、前記保持した論理状態を解放する論理保持装置を備え、
前記論理保持装置の出力および第２のスイッチの論理により前記リムーバブル媒体のためのロード／イジェクト機構をロードまたはイジェクト動作させるように構成されていることを特徴とする請求項９記載の情報処理装置。
【請求項１１】
電源制御装置は、第２のスイッチの押下状態の変化により情報記憶装置への電力供給を行った際において、前記第２のスイッチの押下状態の変化がもとの状態になっていた場合には、リムーバブル媒体のためのロード／イジェクト機構を動作させずに、電力供給を行った前記情報記憶装置、または前記情報記憶装置および制御装置への電力供給を停止するように電源供給装置を制御する構成であることを特徴とする請求項９記載の情報処理装置。
【請求項１２】
リムーバブル媒体のためのロード／イジェクト機構は、前記リムーバブル媒体を保持して情報記憶装置の内部に搬送するリムーバブル媒体搬送装置であり、
情報記憶装置の外部に設けられて前記リムーバブル媒体搬送装置を動作させるための第３のスイッチと、前記情報記憶装置の内部に設けられて前記リムーバブル媒体搬送装置がイジェクト状態にあることを検出する第４のスイッチとを備え、
前記第３のスイッチの押下時に前記リムーバブル媒体搬送装置が前記リムーバブル媒体をイジェクトした状態にあるとき、または前記第４のスイッチの押下状態が変化したときに、前記リムーバル媒体のロード動作を行い、
前記第４のスイッチの押下時に前記リムーバブル媒体搬送装置が前記リムーバブル媒体をイジェクトした状態にないときに、そのイジェクト動作を行うように構成されている、  ことを特徴とする請求項１から８までのいずれか１項記載の情報処理装置。
【請求項１３】
電源供給装置から情報記憶装置への電力供給の停止中に第３のスイッチの押下を検出した際にこの第３のスイッチの押下された論理状態を保持するとともに、リムーバブル媒体搬送装置を作動させたあとに前記保持した論理状態を解放する論理保持装置を備え、
前記論理保持装置の出力および第４のスイッチの論理により前記リムーバブル媒体搬送装置をロードまたはイジェクト動作させるように構成されている、
ことを特徴とする請求項１２記載の情報処理装置。
【請求項１４】
電源制御装置は、情報記憶装置への電力供給を行うとともにリムーバブル媒体搬送装置のロード動作を行った場合において、ロード動作完了後に前記情報記憶装置の内部にリムーバブル媒体がないことを検出したときには、電力供給を行った前記情報記憶装置、または前記情報記憶装置および制御装置への電力供給を停止するように電源供給装置を制御する構成であることを特徴とする請求項１２記載の情報処理装置。
【請求項１５】
リムーバブル媒体のためのロード／イジェクト機構は、前記リムーバブル媒体を保持するリムーバブル媒体保持装置であり、
情報記憶装置の外部に設けられて前記リムーバブル媒体保持装置を動作させるための第５のスイッチと、前記情報記憶装置の内部に設けられて前記リムーバブル媒体保持装置が情報記憶装置の内部でロック状態にあることを検出する第６のスイッチとを備え、
前記第５のスイッチの押下時に、前記第６のスイッチにより前記リムーバブル媒体保持装置がロック状態にあることを検出した場合は、前記リムーバブル媒体保持装置のロック状態を解除して前記リムーバブル媒体保持装置を情報記憶装置の外部に排出する動作を行い、
前記リムーバブル媒体保持装置が非ロック状態からロック状態となったことを前記第６のスイッチにより検出したときには、前記リムーバブル媒体からのデータを読み出し可能および／または前記リムーバブル媒体へデータを記録可能な状態とする動作を行うように構成されている、
ことを特徴とする請求項１から８までのいずれか１項記載の情報処理装置。
【請求項１６】
電源供給装置から情報記憶装置への電力供給の停止中に第５のスイッチの押下を検出した際にこの第５のスイッチの押下された論理状態を保持するとともに、リムーバブル媒体保持装置のロックを解除させたあとに前記保持した論理状態を解放する論理保持装置を備えたことを特徴とする請求項１５記載の情報処理装置。
【請求項１７】
電源制御装置は、情報記憶装置への電力供給を行っているときに第５のスイッチが押下解除状態でかつ第６のスイッチによりリムーバブル媒体保持装置が情報記憶装置の内部でロック状態にあることを検出しているのに、前記情報記憶装置の内部にリムーバブル媒体がないことを検出した場合には、電力供給を行っている前記情報記憶装置、または前記情報記憶装置および制御装置への電力供給を停止する構成であることを特徴とする請求項１５記載の情報処理装置。
【請求項１８】
スイッチの押下状態の変化によってリムーバブル媒体のためのロード／イジェクト機構を作動させる情報記憶装置と、
この情報記憶装置を制御して前記リムーバブル媒体へのデータの記録および／または前記リムーバブル媒体からのデータの読み出しを行う制御装置と、
前記情報記憶装置および制御装置へ電力を供給および供給停止可能な電源供給装置と、
前記電源供給装置による電力の供給停止時も電力を供給可能な常時電源供給装置とを具備した情報処理装置を制御するための方法であって、
前記常時電源供給装置からの電力の供給を受けて動作する電源制御装置によって、
前記電源供給装置から前記情報記憶装置への電力供給停止中に前記スイッチの押下状態が変化したときに、前記電源供給装置を制御して、前記情報記憶装置、または前記情報記憶装置および前記制御装置への電力供給を行わせることにより、前記リムーバブル媒体のロード／イジェクト機構を作動させるように前記情報記憶装置を制御することを特徴とする情報処理装置の電源供給制御方法。
【請求項１９】
電源制御装置によって、
ロード／イジェクト機構を動作させるように情報記憶装置を制御してリムーバブル媒体をイジェクトさせた場合には、イジェクト動作終了後に電源供給装置からの電力供給を停止し、
かつ前記ロード／イジェクト機構を動作させるように前記情報記憶装置を制御して前記リムーバブル媒体をロードさせた場合には、ロード動作終了後も前記電源供給装置からの電力供給を停止しない、
ように制御を行うことを特徴とする請求項１８記載の情報処理装置の電源供給制御方法。
【請求項２０】
電源制御装置によって、
情報記憶装置への電力供給停止中にスイッチの押下状態が変化してリムーバブル媒体をイジェクトする際には、電源供給装置を制御して情報記憶装置への電力供給を行い、
情報記憶装置への電力供給停止中にスイッチの押下状態が変化してリムーバブル媒体をロードする際には、電源供給装置を制御して情報記憶装置および制御装置への電力供給を行い、
前記リムーバブル媒体をイジェクトさせた場合には、イジェクト動作終了後に前記電源供給装置を制御して前記情報記憶装置への電力供給を停止し、
前記リムーバブル媒体をロードさせた場合には、ロード動作終了後も前記電源供給装置の電力供給を停止しない、
ように制御を行うことを特徴とする請求項１９記載の情報処理装置の電源供給制御方法。
【請求項２１】
スイッチの押下状態の変化によってリムーバブル媒体のためのロード／イジェクト機構を作動させる情報記憶装置と、
この情報記憶装置を制御して前記リムーバブル媒体へのデータの記録および／または前記リムーバブル媒体からのデータの読み出しを行う制御装置と、
前記情報記憶装置および制御装置へ電力を供給および供給停止可能な電源供給装置と、
前記電源供給装置の電源供給を開始および停止制御するための電源スイッチと、
前記電源供給装置による電力の供給停止時も電力を供給可能な常時電源供給装置と、
前記常時電源供給装置からの電力の供給を受けて動作する電源制御装置とを具備した情報処理装置を制御するための方法であって、
前記電源スイッチの制御により電源供給装置の電源供給を開始した場合にはＯＳ上で実行されるユーザープログラムにより汎用処理を行うことができる通常起動モードで前記制御装置を起動するステップと、
前記電源供給装置から前記情報記憶装置への電力供給停止中に前記スイッチの押下状態が変化したときには、前記電源制御装置により、前記電源供給装置を制御して、前記情報記憶装置、または前記情報記憶装置および前記制御装置への電力供給を行わせるとともに、前記リムーバブル媒体に記録された予め定めたフォーマットのデータを再生または処理するためのインスタント起動モードで前記制御装置を起動するステップと、
前記電源制御装置の指令により前記情報記憶装置を制御して前記スイッチの押下状態に応じて前記リムーバブル媒体のロード／イジェクト機構を作動させるステップとを含むことを特徴とする情報処理装置の電源供給制御方法。
【請求項２２】
インスタント起動モードで起動した際に、電源制御装置によって、
ロード／イジェクト機構を動作させるように情報記憶装置を制御してリムーバブル媒体をイジェクトさせた場合には、イジェクト動作終了後に電源供給装置からの電力供給を停止し、
情報記憶装置内にリムーバブル媒体が存在しない場合には電源供給装置からの電力供給を停止し、
前記ロード／イジェクト機構を動作させるように前記情報記憶装置を制御して前記リムーバブル媒体をロードさせた場合には、ロード動作終了後も前記電源供給装置からの電力供給を継続する、
ように制御を行うことを特徴とする請求項２１記載の情報処理装置の電源供給制御方法。
【請求項２３】
インスタント起動モードで起動した際に、制御装置によって、
情報記憶装置を制御して、リムーバブル媒体上のデータの種類を判別し、予め定めたフォーマットのデータが記録されている場合には該当データの再生または処理を行い、予め定めたフォーマットのデータが記録されていない場合には電源供給装置を制御して電力供給を停止することを特徴とする請求項２１記載の情報処理装置の電源供給制御方法。
【請求項２４】
インスタント起動モードで起動した際に、制御装置によって、
情報記憶装置を制御して、リムーバブル媒体上のデータの種類を判別し、予め定めたフォーマットのデータが記録されている場合には該当データの再生または処理を行い、予め定めたフォーマットのデータが記録されていない場合には通常モードでの再起動を行うことを特徴とする請求項２１記載の情報処理装置の電源供給制御方法。
【請求項２５】
予め定めたフォーマットのデータ、がＤＶＤ−Ｖｉｄｅｏ、Ｖｉｄｅｏ  ＣＤ、ＣＤ  Ａｕｄｉｏなどの、動画、音声データ規格のデータであることを特徴とする請求項２１から２４までのいずれか１項記載の情報処理装置の電源供給制御方法。
【請求項２６】
情報記憶装置の外部に設けられた第１のスイッチの押下によりリムーバブル媒体のためのロード／イジェクト機構を作動させて前記リムーバブル媒体をイジェクトするとともに、
情報記憶装置の内部に設けられた第２のスイッチの押下状態が、前記リムーバブル媒体の挿入により変化することで、前記リムーバブル媒体のためのロード／イジェクト機構を作動させて前記リムーバブル媒体をロードすることを特徴とする請求項１８から２５までのいずれか１項記載の情報処理装置の電源供給制御方法。
【請求項２７】
電源供給装置からの情報記憶装置への電力供給の停止中に第１のスイッチの押下を検出した際に、この第１のスイッチの押下された論理状態を保持するとともに、リムーバブル媒体のためのロード／イジェクト機構を作動させて前記リムーバブル媒体をロードまたはイジェクトした際に、前記保持した論理状態を解放し、
前記論理状態および第２のスイッチの論理により前記リムーバブル媒体のためのロード／イジェクト機構をロードまたはイジェクト動作させることを特徴とする請求項２６記載の情報処理装置の電源供給制御方法。
【請求項２８】
電源制御装置によって、第２のスイッチの押下状態の変化により情報記憶装置への電力供給を行った際において、前記第２のスイッチの押下状態の変化がもとの状態になっていた場合には、リムーバブル媒体のためのロード／イジェクト機構を動作させずに、電力供給を行った前記情報記憶装置、または前記情報記憶装置および制御装置への電力供給を停止するように電源供給装置を制御することを特徴とする請求項２６記載の情報処理装置の電源供給制御方法。
【請求項２９】
リムーバブル媒体を保持して情報記憶装置の内部に搬送するリムーバブル媒体搬送装置を、リムーバブル媒体のためのロード／イジェクト機構として用い、
前記情報記憶装置の外部に設けられて前記リムーバブル媒体搬送装置を動作させるための第３のスイッチと、前記情報記憶装置の内部に設けられて前記リムーバブル媒体搬送装置がイジェクト状態にあることを検出する第４のスイッチとを用い、
前記第３のスイッチの押下時に前記リムーバブル媒体搬送装置が前記リムーバブル媒体をイジェクトした状態にあるとき、または前記第４のスイッチの押下状態が変化したときに、前記リムーバル媒体のロード動作を行い、
前記第４のスイッチの押下時に前記リムーバブル媒体搬送装置が前記リムーバブル媒体をイジェクトした状態にないときに、そのイジェクト動作を行う、
ことを特徴とする請求項１８から２５までのいずれか１項記載の情報処理装置の電源供給制御方法。
【請求項３０】
電源供給装置から情報記憶装置への電力供給の停止中に第３のスイッチの押下を検出した際にこの第３のスイッチの押下された論理状態を保持し、
リムーバブル媒体搬送装置を作動させたあとに前記保持した論理状態を解放することを特徴とする請求項２９記載の情報処理装置の電源供給制御方法。
【請求項３１】
情報記憶装置への電力供給を行うとともにリムーバブル媒体搬送装置のロード動作を行った場合において、ロード動作完了後に前記情報記憶装置の内部にリムーバブル媒体がないことを検出したときには、電力供給を行った前記情報記憶装置、または前記情報記憶装置および制御装置への電力供給を停止するように、電源制御装置によって電源供給装置を制御することを特徴とする請求項２９記載の情報処理装置の電源供給制御方法。
【請求項３２】
リムーバブル媒体を保持するリムーバブル媒体保持装置を、リムーバブル媒体のためのロード／イジェクト機構として用い、
情報記憶装置の外部に設けられて前記リムーバブル媒体保持装置を動作させるための第５のスイッチと、前記情報記憶装置の内部に設けられて前記リムーバブル媒体保持装置が情報記憶装置の内部でロック状態にあることを検出する第６のスイッチとを用い、
前記第５のスイッチの押下時に、前記第６のスイッチにより前記リムーバブル媒体保持装置がロック状態にあることを検出した場合は、前記リムーバブル媒体保持装置のロック状態を解除して前記リムーバブル媒体保持装置を情報記憶装置の外部に排出し、
前記リムーバブル媒体保持装置が非ロック状態からロック状態となったことを前記第６のスイッチにより検出したときには、前記リムーバブル媒体からのデータを読み出し可能および／または前記リムーバブル媒体へデータを記録可能な状態とする、
ことを特徴とする請求項１８から２５までのいずれか１項記載の情報処理装置の電源供給制御方法。
【請求項３３】
電源供給装置から情報記憶装置への電力供給の停止中に第５のスイッチの押下を検出した際にこの第５のスイッチの押下された論理状態を保持し、
リムーバブル媒体保持装置のロックを解除させたあとに前記保持した論理状態を解放することを特徴とする請求項３２記載の情報処理装置の電源供給制御方法。
【請求項３４】
情報記憶装置への電力供給を行っているときに第６のスイッチによりリムーバブル媒体保持装置が情報記憶装置の内部でロック状態にあることを検出しているのに、前記情報記憶装置の内部にリムーバブル媒体がないことを検出した場合には、電力供給を行っている前記情報記憶装置、または前記情報記憶装置および制御装置への電力供給を停止することを特徴とする請求項３２記載の情報処理装置の電源供給制御方法。
【請求項３５】
スイッチの押下状態の変化によってリムーバブル媒体のためのロード／イジェクト機構を作動させる情報記憶装置であって、
前記情報記憶装置は、制御装置によって、前記リムーバブル媒体へのデータの記録および／または前記リムーバブル媒体からのデータの読み出しを行うように制御されるように構成され、
前記情報記憶装置は、前記情報記憶装置および制御装置へ電力を供給および供給停止可能な電源供給装置に接続されるように構成され、
前記情報記憶装置は電源制御装置を備え、この電源制御装置は、前記電源供給装置による電力の供給停止時も電力を供給可能な常時電源供給装置からの電力の供給を受けて動作するとともに、前記電源供給装置から前記情報記憶装置への電力供給停止中に前記スイッチの押下状態が変化したときに、前記電源供給装置を制御して、前記情報記憶装置、または前記情報記憶装置および前記制御装置への電力供給を行わせて、前記リムーバブル媒体のロード／イジェクト機構を作動させるように前記情報記憶装置を制御するように構成されていることを特徴とする情報記憶装置。
【請求項３６】
電源制御装置は、
ロード／イジェクト機構を動作させるように情報記憶装置を制御してリムーバブル媒体をイジェクトさせた場合には、イジェクト動作終了後に電源供給装置からの電力供給を停止し、
かつ前記ロード／イジェクト機構を動作させるように前記情報記憶装置を制御して前記リムーバブル媒体をロードさせた場合には、ロード動作終了後も前記電源供給装置からの電力供給を停止しない、
ように制御を行う構成であることを特徴とする請求項３５記載の情報記憶装置。
【請求項３７】
電源制御装置は、
情報記憶装置への電力供給停止中にスイッチの押下状態が変化してリムーバブル媒体をイジェクトする際には、電源供給装置を制御して情報記憶装置への電力供給を行い、
情報記憶装置への電力供給停止中にスイッチの押下状態が変化してリムーバブル媒体をロードする際には、電源供給装置を制御して情報記憶装置および制御装置への電力供給を行い、
前記リムーバブル媒体をイジェクトさせた場合には、イジェクト動作終了後に前記電源供給装置を制御して前記情報記憶装置への電力供給を停止し、
前記リムーバブル媒体をロードさせた場合には、ロード動作終了後も前記電源供給装置の電力供給を停止しない、
ように制御を行う構成であることを特徴とする請求項３６記載の情報記憶装置。
【請求項３８】
スイッチの押下状態の変化によってリムーバブル媒体のためのロード／イジェクト機構を作動させる情報記憶装置であって、
前記情報記憶装置は、制御装置によって、前記リムーバブル媒体へのデータの記録および／または前記リムーバブル媒体からのデータの読み出しを行うように制御されるように構成され、
前記情報記憶装置は、前記情報記憶装置および制御装置へ電力を供給および供給停止可能な電源供給装置に接続されるように構成され、
前記電源供給装置は電源スイッチにより電源供給を開始および停止されるように構成され、
前記電源スイッチは、電源供給開始時にはＯＳ上で実行されるユーザープログラムにより汎用処理を行うことができる通常起動モードで前記制御装置を起動するように構成され、
前記情報記憶装置は電源制御装置を備え、この電源制御装置は、前記電源供給装置による電力の供給停止時も電力を供給可能な常時電源供給装置からの電力の供給を受けて動作するとともに、前記電源供給装置から前記情報記憶装置への電力供給停止中に前記情報記憶装置の外部あるいは内部に設けられたスイッチの押下状態が変化したときに、前記電源供給装置を制御して、前記情報記憶装置、または前記情報記憶装置および前記制御装置への電力供給を行わせたのち、前記リムーバブル媒体に記録された予め定めたフォーマットのデータを再生または処理するためのインスタント起動モードで前記制御装置を起動し、前記スイッチの押下状態の変化に応じて、前記リムーバブル媒体のロード／イジェクト機構を作動させるように前記情報記憶装置を制御するように構成されていることを特徴とする情報記憶装置。
【請求項３９】
電源制御装置は、インスタント起動モードで起動した際に、
ロード／イジェクト機構を動作させるように情報記憶装置を制御してリムーバブル媒体をイジェクトさせた場合には、イジェクト動作終了後に電源供給装置からの電力供給を停止し、
情報記憶装置内にリムーバブル媒体が存在しない場合には電源供給装置からの電力供給を停止し、
前記ロード／イジェクト機構を動作させるように前記情報記憶装置を制御して前記リムーバブル媒体をロードさせた場合には、ロード動作終了後も電供給装置からの電力供給を停止しない、
ように制御を行う構成であることを特徴とする請求項３８記載の情報記憶装置。
【請求項４０】
電源制御装置は、
インスタント起動モードで起動した際にリムーバブル媒体上のデータの種類を判別し、予め定めたフォーマットのデータが記録されている場合には該当データの再生または処理を行い、予め定めたフォーマットのデータが記録されていない場合には電源供給装置を制御して電力供給を停止するように制御を行う構成であることを特徴とする請求項３８記載の情報記憶装置。
【請求項４１】
電源制御装置は、
インスタント起動モードで起動した際にリムーバブル媒体上のデータの種類を判別し、予め定めたフォーマットのデータが記録されている場合には該当データの再生または処理を行い、予め定めたフォーマットのデータが記録されていない場合には通常モードでの再起動を行うように制御を行う構成であることを特徴とする請求項３８記載の情報記憶装置。
【請求項４２】
予め定めたフォーマットのデータが、ＤＶＤ−Ｖｉｄｅｏ、Ｖｉｄｅｏ  ＣＤ、ＣＤ  Ａｕｄｉｏなどの、動画、音声データ規格のデータであることを特徴とする請求項３８から４１までのいずれか１項記載の情報記憶装置。
【請求項４３】
情報記憶装置の外部に設けられた第１のスイッチの押下によりリムーバブル媒体のためのロード／イジェクト機構を作動させて前記リムーバブル媒体をイジェクトするように構成されるとともに、
情報記憶装置の内部に設けられた第２のスイッチの押下状態が、前記リムーバブル媒体の挿入により変化することで、前記リムーバブル媒体のためのロード／イジェクト機構を作動させて前記リムーバブル媒体をロードし、前記リムーバブル媒体からのデータを読み出し可能および／または前記リムーバブル媒体へデータを記録可能とするように構成されている、
ことを特徴とする請求項３５から４２までのいずれか１項記載の情報記憶装置。
【請求項４４】
電源供給装置からの情報記憶装置への電力供給の停止中に第１のスイッチの押下を検出した際に、この第１のスイッチの押下された論理状態を保持するとともに、リムーバブル媒体のためのロード／イジェクト機構を作動させて前記リムーバブル媒体をロードまたはイジェクトした際に、前記保持した論理状態を解放する論理保持装置を備え、
前記論理保持装置の出力および第２のスイッチの論理により前記リムーバブル媒体のためのロード／イジェクト機構をロードまたはイジェクト動作させるように構成されていることを特徴とする請求項４３記載の情報記憶装置。
【請求項４５】
電源制御装置は、第２のスイッチの押下状態の変化により情報記憶装置への電力供給を行った際において、前記第２のスイッチの押下状態の変化がもとの状態になっていた場合には、リムーバブル媒体のためのロード／イジェクト機構を動作させずに、電力供給を行った前記情報記憶装置、または前記情報記憶装置および制御装置への電力供給を停止するように電源供給装置を制御する構成であることを特徴とする請求項４３記載の情報記憶装置。
【請求項４６】
リムーバブル媒体のためのロード／イジェクト機構は、前記リムーバブル媒体を保持して情報記憶装置の内部に搬送するリムーバブル媒体搬送装置であり、
情報記憶装置の外部に設けられて前記リムーバブル媒体搬送装置を動作させるための第３のスイッチと、前記情報記憶装置の内部に設けられて前記リムーバブル媒体搬送装置がイジェクト状態にあることを検出する第４のスイッチとを備え、
前記第３のスイッチの押下時に前記リムーバブル媒体搬送装置が前記リムーバブル媒体をイジェクトした状態にあるとき、または前記第４のスイッチの押下状態が変化したときに、前記リムーバル媒体のロード動作を行い、
前記第４のスイッチの押下時に前記リムーバブル媒体搬送装置が前記リムーバブル媒体をイジェクトした状態にないときに、そのイジェクト動作を行うように構成されている、  ことを特徴とする請求項３５から４２までのいずれか１項記載の情報記憶装置。
【請求項４７】
電源供給装置から情報記憶装置への電力供給の停止中に第３のスイッチの押下を検出した際にこの第３のスイッチの押下された論理状態を保持するとともに、リムーバブル媒体搬送装置を作動させたあとに前記保持した論理状態を解放する論理保持装置を備え、
前記論理保持装置の出力および第４のスイッチの論理により前記リムーバブル媒体搬送装置をロードまたはイジェクト動作させるように構成されている、
ことを特徴とする請求項４６記載の情報記憶装置。
【請求項４８】
電源制御装置は、情報記憶装置への電力供給を行うとともにリムーバブル媒体搬送装置のロード動作を行った場合において、ロード動作完了後に前記情報記憶装置の内部にリムーバブル媒体がないことを検出したときには、電力供給を行った前記情報記憶装置、または前記情報記憶装置および制御装置への電力供給を停止するように電源供給装置を制御する構成であることを特徴とする請求項４６記載の情報記憶装置。
【請求項４９】
リムーバブル媒体のためのロード／イジェクト機構は、前記リムーバブル媒体を保持するリムーバブル媒体保持装置であり、
情報記憶装置の外部に設けられて前記リムーバブル媒体保持装置を動作させるための第５のスイッチと、前記情報記憶装置の内部に設けられて前記リムーバブル媒体保持装置が情報記憶装置の内部でロック状態にあることを検出する第６のスイッチとを備え、
前記第５のスイッチの押下時に、前記第６のスイッチにより前記リムーバブル媒体保持装置がロック状態にあることを検出した場合は、前記リムーバブル媒体保持装置のロック状態を解除して前記リムーバブル媒体保持装置を情報記憶装置の外部に排出する動作を行い、
前記リムーバブル媒体保持装置が非ロック状態からロック状態となったことを前記第６のスイッチにより検出したときには、前記リムーバブル媒体からのデータを読み出し可能および／または前記リムーバブル媒体へデータを記録可能な状態とする動作を行うように構成されている、
ことを特徴とする請求項３５から４２までのいずれか１項記載の情報記憶装置。
【請求項５０】
電源供給装置から情報記憶装置への電力供給の停止中に第５のスイッチの押下を検出した際にこの第５のスイッチの押下された論理状態を保持するとともに、リムーバブル媒体保持装置のロックを解除させたあとに前記保持した論理状態を解放する論理保持装置を備えたことを特徴とする請求項４９記載の情報記憶装置。
【請求項５１】
電源制御装置は、情報記憶装置への電力供給を行っているときに第５のスイッチが押下解除状態でかつ第６のスイッチによりリムーバブル媒体保持装置が情報記憶装置の内部でロック状態にあることを検出しているのに、前記情報記憶装置の内部にリムーバブル媒体がないことを検出した場合には、電力供給を行っている前記情報記憶装置、または前記情報記憶装置および制御装置への電力供給を停止する構成であることを特徴とする請求項４９記載の情報記憶装置。
【発明の詳細な説明】
【技術分野】
【０００１】
本発明は情報処理装置および情報処理装置の電源供給制御方法に関し、特に、情報記憶装置に搭載されたリムーバブル媒体をロード／イジェクト可能なロード／イジェクト動作と、情報記憶装置への電源供給とを制御することが可能な情報処理装置および情報処理装置の電源供給制御方法に関する。
【背景技術】
【０００２】
ディスク型の情報記憶媒体（以下適宜、「ディスク」と略称する）の交換が可能な、例えばＣＤ−ＲＯＭドライブ等の情報記憶装置は、パーソナルコンピュータ等の情報処理装置において、従来から一般的に使用されている。
【０００３】
情報記憶装置における従来のディスクの交換方法には、大別して２種類がある。第１は機械式方法で、ユーザが機械的にフタあるいは引き出し式のトレイを操作することで引き出し／収納を行うか、またはディスクそれ自体あるいはディスクを収納した保護ケースの掃き出し／取り込みを行うことにより、イジェクトあるいはローディングを行って、ディスクの交換を行う方法である。第２は、スイッチ等の操作により、電子的にフタあるいは引き出し式のトレイによる引き出し／収納動作を行わせるか、またはディスクそれ自体あるいはディスクを収納した保護ケースの掃き出し／取り込みを行わせることにより、イジェクトあるいはローディングを行って、ディスクの交換を行う方法である。
【０００４】
現在では、ディスクの回転数の高速化に伴って、ディスク回転中のイジェクトによる事故が想定されるため、少なくとも高速ＣＤ−ＲＯＭドライブ等は、ディスクの回転が停止してからイジェクトする電子式イジェクトがほとんどである。しかしながら、電子式方法では、情報記憶装置への電源供給中はイジェクトあるいはローディング可能となるが、電源オフ中は、イジェクトおよびローディングができないという不都合がある。
【０００５】
特許文献１において提案されている情報処理装置は、記憶装置の電源オフ中にイジェクトボタンあるいはローディングボタンの押下を検出する押下検出装置と、押下検出装置によるボタンの押下検出信号により、電源供給回路をオンにして記憶装置へ電力を供給することでローディング機構を作動させる装置と、電源オフ状態での記憶装置におけるディスクの掃き出しあるいは取り込みの完了を検出してディスク位置検出信号を出力する掃き出し／取り込み完了検出装置とを設けており、ディスク位置検出信号を検出してから電源供給回路がオフされるため、記憶装置の電源オフ中におけるディスク交換を確実に行うことが可能になり、交換不要の間は、完全に電源を切ることができる。
【特許文献１】特開平１１−１４９６８９号公報
【発明の開示】
【発明が解決しようとする課題】
【０００６】
しかしながら、特許文献１に記載のものは、低消費電力ではあるものの、１個のイジェクトスイッチを押下したことを検出して情報記憶装置をロード／イジェクトするのみである。実際のドライブでは、イジェクトスイッチによるロード／イジェクトの動作のみでなく、たとえばスロットローディング方式の情報記憶装置ではイジェクトスイッチでイジェクト動作を行い、媒体が情報記憶装置内に挿入されたことを検出するスイッチまたはセンサなどの状態変化によりロード動作を開始する。また、光ディスク記録再生装置のローディング方式として一般的なトレイ方式では、イジェクトスイッチによりロード／イジェクト動作を行う以外に、排出されたトレイを装置内部に押し込むことにより、装置内部に設置されたスイッチ装置の状態が変化し、その変化によりロード動作を行うなど、複数のスイッチ装置の論理の変化を検出してそれに対応した動作を行う必要がある。このため、特許文献１に記載のものでは、複数のスイッチの異なる論理に対応することが不可能である。
【０００７】
また特許文献１のものでは、装置の電源遮断中のディスクのロード／イジェクト完了を検出して再度電源供給回路をオフにするための検出装置が設けられているが、この回路の電源供給は情報処理装置全体の電源供給回路と共通であるため、スイッチが押下状態になってから解除されるまでの時間が短いと、検出装置の電源がオンになる前にスイッチの押下状態が解除される可能性があり、このため、情報処理装置本体のパワースイッチが押下されたのか、情報記憶装置のロード／イジェクトスイッチが押下されたのか判別することができなくなるという問題もある。
【０００８】
そこで本発明は、情報処理装置におけるスイッチの論理状態の変化により電力供給を開始するとともに、スイッチの状態によりロード／イジェクト機構を動作させ、更にそのときの状態により電力供給の停止／継続を自動的に行うようにすることを目的とする。
【課題を解決するための手段】
【０００９】
上記した課題を解決するために、請求項１に係る本発明の情報処理装置は、スイッチの押下状態の変化によってリムーバブル媒体のためのロード／イジェクト機構を作動させる情報記憶装置と、この情報記憶装置を制御して前記リムーバブル媒体へのデータの記録および／または前記リムーバブル媒体からのデータの読み出しを行う制御装置と、前記情報記憶装置および制御装置へ電力を供給および供給停止可能な電源供給装置と、前記電源供給装置による電力の供給停止時も電力を供給可能な常時電源供給装置と、前記常時電源供給装置からの電力の供給を受けて動作するとともに、前記電源供給装置から前記情報記憶装置への電力供給停止中に前記スイッチの押下状態が変化したときに、前記電源供給装置を制御して、前記情報記憶装置、または前記情報記憶装置および前記制御装置への電力供給を行わせて、前記リムーバブル媒体のロード／イジェクト機構を作動させるように前記情報記憶装置を制御する電源制御装置とを具備したものである。
【００１０】
このようなものであると、情報記憶装置および制御装置への電力の供給が停止されている間は、電源制御装置にのみ電力が供給されるので、装置全体への電力供給停止時における消費電力を最低限度とすることができるとともに、スイッチの押下状態の変化を検出して電力供給を開始しスイッチの論理状態に応じてロード／イジェクト動作を適切に行うことができる。
【００１１】
請求項２に係る本発明の情報処理装置は、電源制御装置が、ロード／イジェクト機構を動作させるように情報記憶装置を制御してリムーバブル媒体をイジェクトさせた場合には、イジェクト動作終了後に電源供給装置からの電力供給を停止し、かつ前記ロード／イジェクト機構を動作させるように前記情報記憶装置を制御して前記リムーバブル媒体をロードさせた場合には、ロード動作終了後も前記電源供給装置からの電力供給を停止しないように制御を行う構成としたものである。
【００１２】
このようなものであると、行ったロード／イジェクトの動作に応じて電源供給装置を制御することで、イジェクト後は装置への電力供給を停止し、またロード時は装置への電力供給を停止しないので、イジェクト後は余分な電力を消費せず、また媒体挿入を行うことで、ロード後は情報処理装置が媒体の内容に応じた処理を自動的に行うようにすることができる。
【００１３】
請求項３に係る本発明の情報処理装置は、電源制御装置が、情報記憶装置への電力供給停止中にスイッチの押下状態が変化してリムーバブル媒体をイジェクトする際には、電源供給装置を制御して情報記憶装置への電力供給を行い、情報記憶装置への電力供給停止中にスイッチの押下状態が変化してリムーバブル媒体をロードする際には、電源供給装置を制御して情報記憶装置および制御装置への電力供給を行い、前記リムーバブル媒体をイジェクトさせた場合には、イジェクト動作終了後に前記電源供給装置を制御して前記情報記憶装置への電力供給を停止し、前記リムーバブル媒体をロードさせた場合には、ロード動作終了後も前記電源供給装置の電力供給を停止しないように制御を行う構成としたものである。
【００１４】
このようなものであると、行ったロード／イジェクトの動作に応じて電源供給装置を制御することで、イジェクト時は情報記憶装置のみへの電力供給を行うとともにイジェクト動作後に停止し、ロード時は全体の装置の電源供給を行ってロード動作を行うとともにその後も電源供給を停止しないので、イジェクト時は消費電力を最低限度とし、また媒体挿入を行うことによるロード後は情報処理装置が媒体の内容に応じた処理を自動的に行うことができる。
【００１５】
請求項４に係る本発明の情報処理装置は、スイッチの押下状態の変化によってリムーバブル媒体のためのロード／イジェクト機構を作動させる情報記憶装置と、この情報記憶装置を制御して前記リムーバブル媒体へのデータの記録および／または前記リムーバブル媒体からのデータの読み出しを行う制御装置と、前記情報記憶装置および制御装置へ電力を供給および供給停止可能な電源供給装置と、前記電源供給装置による電力の供給停止時も電力を供給可能な常時電源供給装置と、前記電源供給装置の電源供給を開始および停止し、電源供給開始時にはＯＳ上で実行されるユーザープログラムにより汎用処理を行うことができる通常起動モードで前記制御装置を起動する電源スイッチと、前記常時電源供給装置からの電力の供給を受けて動作するとともに、前記電源供給装置から前記情報記憶装置への電力供給停止中に前記情報記憶装置の外部あるいは内部に設けられたスイッチの押下状態が変化したときに、前記電源供給装置を制御して、前記情報記憶装置、または前記情報記憶装置および前記制御装置への電力供給を行わせたのち、前記リムーバブル媒体に記録された予め定めたフォーマットのデータを再生または処理するためのインスタント起動モードで前記制御装置を起動し、前記スイッチの押下状態の変化に応じて、前記リムーバブル媒体のロード／イジェクト機構を作動させるように前記情報記憶装置を制御する電源制御装置とを具備したものである。
【００１６】
このようなものであると、情報記憶装置および制御装置への電力の供給が停止されている間は、電源制御装置にのみ電力が供給されるので、装置全体への電力供給停止時における消費電力を最低限度とすることができるとともに、スイッチの押下状態の変化を検出して電力供給を開始しインスタントモードで制御装置を駆動するものであるため素早く動作を開始させることができる。
【００１７】
請求項５に係る本発明の情報処理装置は、電源制御装置が、インスタント起動モードで起動した際に、ロード／イジェクト機構を動作させるように情報記憶装置を制御してリムーバブル媒体をイジェクトさせた場合には、イジェクト動作終了後に電源供給装置からの電力供給を停止し、情報記憶装置内にリムーバブル媒体が存在しない場合には電源供給装置からの電力供給を停止し、前記ロード／イジェクト機構を動作させるように前記情報記憶装置を制御して前記リムーバブル媒体をロードさせた場合には、ロード動作終了後も電供給装置からの電力供給を停止しないように制御を行う構成であるようにしたものである。
【００１８】
このようなものであると、行ったロード／イジェクトの動作に応じて電源供給装置を制御することで、イジェクト後は装置への電力供給を停止し、またロード時は装置への電力供給を停止しないので、イジェクト後は余分な電力を消費せず、また媒体挿入を行うことで、ロード後は情報処理装置が媒体の内容に応じた処理を自動的に行うようにすることができる。
【００１９】
請求項６に係る本発明の情報処理装置は、電源制御装置が、インスタント起動モードで起動した際にリムーバブル媒体上のデータの種類を判別し、予め定めたフォーマットのデータが記録されている場合には該当データの再生または処理を行い、予め定めたフォーマットのデータが記録されていない場合には電源供給装置を制御して電力供給を停止するように制御を行う構成であるようにしたものである。
【００２０】
このようなものであると、リムーバブル媒体上に予め定めたフォーマットのデータが記録されている場合にのみ、該当データを正しく再生または処理することができる。
【００２１】
請求項７に係る本発明の情報処理装置は、電源制御装置が、インスタント起動モードで起動した際にリムーバブル媒体上のデータの種類を判別し、予め定めたフォーマットのデータが記録されている場合には該当データの再生または処理を行い、予め定めたフォーマットのデータが記録されていない場合には通常モードでの再起動を行うように制御を行う構成であるようにしたものである。
【００２２】
このようなものであると、リムーバブル媒体上に予め定めたフォーマットのデータが記録されている場合にのみ、該当データを正しく再生または処理することができる。
【００２３】
請求項８に係る本発明の情報処理装置は、予め定めたフォーマットのデータが、ＤＶＤ−Ｖｉｄｅｏ、Ｖｉｄｅｏ  ＣＤ、ＣＤ  Ａｕｄｉｏなどの、動画、音声データ規格のデータであるようにしたものである。
【００２４】
請求項９に係る本発明の情報処理装置は、情報記憶装置の外部に設けられた第１のスイッチの押下によりリムーバブル媒体のためのロード／イジェクト機構を作動させて前記リムーバブル媒体をイジェクトするように構成されるとともに、情報記憶装置の内部に設けられた第２のスイッチの押下状態が、前記リムーバブル媒体の挿入により変化することで、前記リムーバブル媒体のためのロード／イジェクト機構を作動させて前記リムーバブル媒体をロードし、前記リムーバブル媒体からのデータを読み出し可能および／または前記リムーバブル媒体へデータを記録可能とするように構成したものである。
【００２５】
このようなものであると、リムーバブル媒体をイジェクトすることと、リムーバブル媒体をロードして、そのリムーバブル媒体からのデータを読み出し可能および／または前記リムーバブル媒体へデータを記録可能とすることとを、確実に実行することができる。
【００２６】
請求項１０に係る本発明の情報処理装置は、電源供給装置からの情報記憶装置への電力供給の停止中に第１のスイッチの押下を検出した際に、この第１のスイッチの押下された論理状態を保持するとともに、リムーバブル媒体のためのロード／イジェクト機構を作動させて前記リムーバブル媒体をロードまたはイジェクトした際に、前記保持した論理状態を解放する論理保持装置を備え、前記論理保持装置の出力および第２のスイッチ装置の論理により前記リムーバブル媒体のためのロード／イジェクト機構をロードまたはイジェクト動作させるように構成したものである。
【００２７】
このようなものであると、情報記憶装置への電力供給停止中に押下された第１のスイッチの論理状態を保持するので、第１のスイッチの押下状態を情報記憶装置への電力供給開始後まで使用者が保持し続けなくても媒体の排出動作を行うことができる。
【００２８】
請求項１１に係る本発明の情報処理装置は、電源制御装置が、第２のスイッチの押下状態の変化により情報記憶装置への電力供給を行った際において、前記第２のスイッチ装置の押下状態の変化がもとの状態になっていた場合には、前記リムーバブル媒体のためのロード／イジェクト機構を動作させずに、電力供給を行った前記情報記憶装置、または前記情報記憶装置および制御装置への電力供給を停止するように電源供給装置を制御する構成としたものである。
【００２９】
このようなものであると、情報記憶装置への電力供給の開始後にリムーバブル媒体がロード状態から解除されていた場合には、ロード動作を行わずに電力供給を停止するので、使用者が情報記憶装置への電力供給停止中にリムーバブル媒体をロード可能としたうえで、リムーバブル媒体をすぐに情報記憶装置外に取り出した場合でも、情報処理装置の消費電力を最低限度とすることができる。
【００３０】
請求項１２に係る本発明の情報処理装置は、リムーバブル媒体のためのロード／イジェクト機構が、前記リムーバブル媒体を保持して情報記憶装置の内部に搬送するリムーバブル媒体搬送装置であり、情報記憶装置の外部に設けられて前記リムーバブル媒体搬送装置を動作させるための第３のスイッチと、前記情報記憶装置の内部に設けられて前記リムーバブル媒体搬送装置がイジェクト状態にあることを検出する第４のスイッチとを備え、前記第３のスイッチの押下時に前記リムーバブル媒体搬送装置が前記リムーバブル媒体をイジェクトした状態にあるとき、または前記第４のスイッチ装置の押下状態が変化したときに、前記リムーバル媒体のロード動作を行い、前記第４のスイッチの押下時に前記リムーバブル媒体搬送装置が前記リムーバブル媒体をイジェクトした状態にないときに、そのイジェクト動作を行うように構成したものである。
【００３１】
このようなものであると、複数のスイッチの押下状態の変化を検出して電力供給を行い、これら複数のスイッチの論理状態に応じてロード／イジェクト動作を適切に行うことが可能な情報処理装置を提供することができる。
【００３２】
請求項１３に係る本発明の情報処理装置は、電源供給装置から情報記憶装置への電力供給の停止中に第３のスイッチの押下を検出した際にこの第３のスイッチの押下された論理状態を保持するとともに、リムーバブル媒体搬送装置を作動させたあとに前記保持した論理状態を解放する論理保持装置を備え、前記論理保持装置の出力および第４のスイッチの論理により前記リムーバブル媒体搬送装置をロードまたはイジェクト動作させるように構成したものである。
【００３３】
このようなものであると、情報記憶装置への電力供給の停止中に押下された第３のスイッチの論理状態を保持するので、使用者が情報記憶装置への電力供給の開始後まで第３のスイッチの押下状態を保持し続けなくても媒体の排出動作を行うことができる。
【００３４】
請求項１４に係る本発明の情報処理装置は、電源制御装置が、情報記憶装置への電力供給を行うとともにリムーバブル媒体搬送装置のロード動作を行った場合において、ロード動作完了後に前記情報記憶装置の内部にリムーバブル媒体がないことを検出したときには、電力供給を行った前記情報記憶装置、または前記情報記憶装置および制御装置への電力供給を停止するように電源供給装置を制御する構成としたものである。
【００３５】
このようなものであると、情報記憶装置への媒体のロード動作後に装置内に媒体が無い場合には電力供給を停止するので、使用者が情報記憶装置への電力供給停止中に情報記憶装置の媒体搬送装置を媒体なしでロードさせた場合でも、情報処理装置の消費電力を最低限度とすることができる。
【００３６】
請求項１５に係る本発明の情報処理装置は、リムーバブル媒体のためのロード／イジェクト機構が、前記リムーバブル媒体を保持するリムーバブル媒体保持装置であり、情報記憶装置の外部に設けられて前記リムーバブル媒体保持装置を動作させるための第５のスイッチと、前記情報記憶装置の内部に設けられて前記リムーバブル媒体保持装置が情報記憶装置の内部でロック状態にあることを検出する第６のスイッチとを備え、前記第５のスイッチの押下時に、前記第６のスイッチにより前記リムーバブル媒体保持装置がロック状態にあることを検出した場合は、前記リムーバブル媒体保持装置のロック状態を解除して前記リムーバブル媒体保持装置を情報記憶装置の外部に排出する動作を行い、前記リムーバブル媒体保持装置が非ロック状態からロック状態となったことを前記第６のスイッチにより検出したときには、前記リムーバブル媒体からのデータを読み出し可能および／または前記リムーバブル媒体へデータを記録可能な状態とする動作を行うように構成されているものである。
【００３７】
このようなものであると、複数のスイッチの押下状態の変化を検出して電力供給を行うとともに、複数のスイッチの論理状態に応じてロード／イジェクト動作を適切に行うことができる。
【００３８】
請求項１６に係る本発明の情報処理装置は、電源供給装置から情報記憶装置への電力供給の停止中に第５のスイッチの押下を検出した際にこの第５のスイッチの押下された論理状態を保持するとともに、リムーバブル媒体保持装置のロックを解除させたあとに前記保持した論理状態を解放する論理保持装置を備えたものである。
【００３９】
このようなものであると、情報記憶装置への電力供給の停止中に押下された第５のスイッチの論理状態を保持するので、使用者が情報記憶装置への電力供給の開始後まで第５のスイッチの押下状態を保持し続けなくても媒体の排出動作を行うことができる。
【００４０】
請求項１７に係る本発明の情報処理装置は、電源制御装置が、情報記憶装置への電力供給を行っているときに第５のスイッチが押下解除状態でかつ第６のスイッチによりリムーバブル媒体保持装置が情報記憶装置の内部でロック状態にあることを検出しているのに、前記情報記憶装置の内部にリムーバブル媒体がないことを検出した場合には、電力供給を行っている前記情報記憶装置、または前記情報記憶装置および制御装置への電力供給を停止する構成である。
【００４１】
このようなものであると、情報記憶装置への媒体ロード動作後に装置内に媒体が無い場合には電力供給を停止するので、使用者が情報記憶装置への電力供給の停止中に情報記憶装置のリムーバブル媒体保持装置を媒体なしでロードさせた場合でも、情報処理装置の消費電力を最低限度とすることができる。
【００４２】
請求項１８に係る本発明の情報処理装置の電源供給制御方法は、スイッチの押下状態の変化によってリムーバブル媒体のためのロード／イジェクト機構を作動させる情報記憶装置と、この情報記憶装置を制御して前記リムーバブル媒体へのデータの記録および／または前記リムーバブル媒体からのデータの読み出しを行う制御装置と、前記情報記憶装置および制御装置へ電力を供給および供給停止可能な電源供給装置と、前記電源供給装置による電力の供給停止時も電力を供給可能な常時電源供給装置とを具備した情報処理装置を制御するに際し、前記常時電源供給装置からの電力の供給を受けて動作する電源制御装置によって、前記電源供給装置から前記情報記憶装置への電力供給停止中に前記スイッチの押下状態が変化したときに、前記電源供給装置を制御して、前記情報記憶装置、または前記情報記憶装置および前記制御装置への電力供給を行わせることにより、前記リムーバブル媒体のロード／イジェクト機構を作動させるように前記情報記憶装置を制御するものである。
【００４３】
このようにすると、情報処理装置および制御装置への電力の供給が停止されている間は、電源制御装置にのみ電力が供給されるので、装置全体への電源供給停止時における消費電力を最低限度とすることができるとともに、スイッチの押下状態の変化を検出して電力供給を開始しスイッチの論理状態に応じてロード／イジェクト動作を適切に行うことができる。
【００４４】
請求項１９に係る本発明の情報処理装置の電源供給制御方法は、電源制御装置によって、ロード／イジェクト機構を動作させるように情報記憶装置を制御してリムーバブル媒体をイジェクトさせた場合には、イジェクト動作終了後に電源供給装置からの電力供給を停止し、かつ前記ロード／イジェクト機構を動作させるように前記情報記憶装置を制御して前記リムーバブル媒体をロードさせた場合には、ロード動作終了後も前記電源供給装置からの電力供給を停止しないように制御を行うものである。
【００４５】
このようにすると、行ったロード／イジェクトの動作に応じて電源供給装置を制御することで、イジェクト後は装置への電力供給を停止し、ロード時は装置への電力供給を停止しないので、イジェクト後は余分な電力を消費せず、また媒体挿入を行うことで、ロード後は情報処理装置が媒体の内容に応じた処理を自動的に行うようにすることができる。
【００４６】
請求項２０に係る本発明の情報処理装置の電源供給制御方法は、電源制御装置によって、情報記憶装置への電力供給停止中にスイッチの押下状態が変化してリムーバブル媒体をイジェクトする際には、電源供給装置を制御して情報記憶装置への電力供給を行い、情報記憶装置への電力供給停止中にスイッチの押下状態が変化してリムーバブル媒体をロードする際には、電源供給装置を制御して情報記憶装置および制御装置への電力供給を行い、前記リムーバブル媒体をイジェクトさせた場合には、イジェクト動作終了後に前記電源供給装置を制御して前記情報記憶装置への電力供給を停止し、前記リムーバブル媒体をロードさせた場合には、ロード動作終了後も前記電源供給装置の電力供給を停止しないように制御を行うものである。
【００４７】
このようにすると、行ったロード／イジェクトの動作に応じて電源供給装置を制御することで、イジェクト時は情報記憶装置のみへの電力供給を行うとともにイジェクト動作後に停止し、ロード時は全体の装置の電源供給を行ってロード動作を行うとともにその後も電源供給を停止しないので、イジェクト時は消費電力を最低限度とし、また媒体挿入を行うことによるロード後は情報処理装置が媒体の内容に応じた処理を自動的に行うことができる。
【００４８】
請求項２１に係る本発明の情報処理装置の電源供給制御方法は、スイッチの押下状態の変化によってリムーバブル媒体のためのロード／イジェクト機構を作動させる情報記憶装置と、この情報記憶装置を制御して前記リムーバブル媒体へのデータの記録および／または前記リムーバブル媒体からのデータの読み出しを行う制御装置と、前記情報記憶装置および制御装置へ電力を供給および供給停止可能な電源供給装置と、前記電源供給装置の電源供給を開始および停止制御するための電源スイッチと、前記電源供給装置による電力の供給停止時も電力を供給可能な常時電源供給装置と、前記常時電源供給装置からの電力の供給を受けて動作する電源制御装置とを具備した情報処理装置を制御するための方法が、前記電源スイッチの制御により電源供給装置の電源供給を開始した場合にはＯＳ上で実行されるユーザープログラムにより汎用処理を行うことができる通常起動モードで前記制御装置を起動するステップと、前記電源供給装置から前記情報記憶装置への電力供給停止中に前記スイッチの押下状態が変化したときには、前記電源制御装置により、前記電源供給装置を制御して、前記情報記憶装置、または前記情報記憶装置および前記制御装置への電力供給を行わせるとともに、前記リムーバブル媒体に記録された予め定めたフォーマットのデータを再生または処理するためのインスタント起動モードで前記制御装置を起動するステップと、前記電源制御装置の指令により前記情報記憶装置を制御して前記スイッチの押下状態に応じて前記リムーバブル媒体のロード／イジェクト機構を作動させるステップとを含むものである。
【００４９】
このようにすると、情報記憶装置および制御装置への電力の供給が停止されている間は、電源制御装置にのみ電力が供給されるので、装置全体への電力供給停止時における消費電力を最低限度とすることができるとともに、スイッチの押下状態の変化を検出して電力供給を開始しインスタントモードで制御装置を駆動するものであるため素早く動作を開始させることができる。
【００５０】
請求項２２に係る本発明の情報処理装置の電源供給制御方法は、インスタント起動モードで起動した際に、電源制御装置によって、ロード／イジェクト機構を動作させるように情報記憶装置を制御してリムーバブル媒体をイジェクトさせた場合には、イジェクト動作終了後に電源供給装置からの電力供給を停止し、情報記憶装置内にリムーバブル媒体が存在しない場合には電源供給装置からの電力供給を停止し、前記ロード／イジェクト機構を動作させるように前記情報記憶装置を制御して前記リムーバブル媒体をロードさせた場合には、ロード動作終了後も前記電源供給装置からの電力供給を継続するように制御を行うものである。
【００５１】
このようにすると、行ったロード／イジェクトの動作に応じて電源供給装置を制御することで、イジェクト後は装置への電力供給を停止し、またロード時は装置への電力供給を停止しないので、イジェクト後は余分な電力を消費せず、また媒体挿入を行うことで、ロード後は情報処理装置が媒体の内容に応じた処理を自動的に行うようにすることができる。
【００５２】
請求項２３に係る本発明の情報処理装置の電源供給制御方法は、インスタント起動モードで起動した際に、制御装置によって、情報記憶装置を制御して、リムーバブル媒体上のデータの種類を判別し、予め定めたフォーマットのデータが記録されている場合には該当データの再生または処理を行い、予め定めたフォーマットのデータが記録されていない場合には電源供給装置を制御して電力供給を停止するものである。
【００５３】
このようにすると、リムーバブル媒体上に予め定めたフォーマットのデータが記録されている場合にのみ、該当データを正しく再生または処理することができる。
【００５４】
請求項２４に係る本発明の情報処理装置の電源供給制御方法は、インスタント起動モードで起動した際に、制御装置によって、情報記憶装置を制御して、リムーバブル媒体上のデータの種類を判別し、予め定めたフォーマットのデータが記録されている場合には該当データの再生または処理を行い、予め定めたフォーマットのデータが記録されていない場合には通常モードでの再起動を行うものである。
【００５５】
このようにすると、リムーバブル媒体上に予め定めたフォーマットのデータが記録されている場合にのみ、該当データを正しく再生または処理することができる。
【００５６】
請求項２５に係る本発明の情報処理装置の電源供給制御方法は、予め定めたフォーマットのデータ、がＤＶＤ−Ｖｉｄｅｏ、Ｖｉｄｅｏ  ＣＤ、ＣＤ  Ａｕｄｉｏなどの、動画、音声データ規格のデータであるようにしたものである。
【００５７】
請求項２６に係る本発明の情報処理装置の電源供給制御方法は、情報記憶装置の外部に設けられた第１のスイッチの押下によりリムーバブル媒体のためのロード／イジェクト機構を作動させて前記リムーバブル媒体をイジェクトするとともに、情報記憶装置の内部に設けられた第２のスイッチの押下状態が、前記リムーバブル媒体の挿入により変化することで、前記リムーバブル媒体のためのロード／イジェクト機構を作動させて前記リムーバブル媒体をロードするものである。
【００５８】
このようにすると、リムーバブル媒体をイジェクトすることと、リムーバブル媒体をロードして、そのリムーバブル媒体からのデータを読み出し可能および／または前記リムーバブル媒体へデータを記録可能とすることとを、確実に実行することができる。
【００５９】
請求項２７に係る本発明の情報処理装置の電源供給制御方法は、電源供給装置からの情報記憶装置への電力供給の停止中に第１のスイッチの押下を検出した際に、この第１のスイッチの押下された論理状態を保持するとともに、リムーバブル媒体のためのロード／イジェクト機構を作動させて前記リムーバブル媒体をロードまたはイジェクトした際に、前記保持した論理状態を解放し、前記論理状態および第２のスイッチ装置の論理により前記リムーバブル媒体のためのロード／イジェクト機構をロードまたはイジェクト動作させるものである。
【００６０】
このようにすると、情報記憶装置への電力供給停止中に押下された第１のスイッチの論理状態を保持するので、第１のスイッチの押下状態を情報記憶装置への電力供給開始後まで使用者が保持し続けなくても媒体の排出動作を行うことができる。
【００６１】
請求項２８に係る本発明の情報処理装置の電源供給制御方法は、電源制御装置によって、第２のスイッチの押下状態の変化により情報記憶装置への電力供給を行った際において、前記第２のスイッチ装置の押下状態の変化がもとの状態になっていた場合には、前記リムーバブル媒体のためのロード／イジェクト機構を動作させずに、電力供給を行った前記情報記憶装置、または前記情報記憶装置および制御装置への電力供給を停止するように電源供給装置を制御するものである。
【００６２】
このようにすると、情報記憶装置への電力供給の開始後にリムーバブル媒体がロード状態から解除されていた場合には、ロード動作を行わずに電力供給を停止するので、使用者が情報記憶装置への電源供給停止中にリムーバブル媒体をロード可能としたうえで、リムーバブル媒体をすぐに情報記憶装置外に取り出した場合でも、情報処理装置の消費電力を最低限度とすることができる。
【００６３】
請求項２９に係る本発明の情報処理装置の電源供給制御方法は、リムーバブル媒体を保持して情報記憶装置の内部に搬送するリムーバブル媒体搬送装置を、リムーバブル媒体のためのロード／イジェクト機構として用い、前記情報記憶装置の外部に設けられて前記リムーバブル媒体搬送装置を動作させるための第３のスイッチと、前記情報記憶装置の内部に設けられて前記リムーバブル媒体搬送装置がイジェクト状態にあることを検出する第４のスイッチとを用い、前記第３のスイッチの押下時に前記リムーバブル媒体搬送装置が前記リムーバブル媒体をイジェクトした状態にあるとき、または前記第４のスイッチの押下状態が変化したときに、前記リムーバル媒体のロード動作を行い、前記第４のスイッチの押下時に前記リムーバブル媒体搬送装置が前記リムーバブル媒体をイジェクトした状態にないときに、そのイジェクト動作を行うものである。
【００６４】
このようにすると、複数のスイッチの押下状態の変化を検出して電力供給を行い、これら複数のスイッチの論理状態に応じてロード／イジェクト動作を適切に行うことが可能な情報処理装置の電源供給制御方法を提供することができる。
【００６５】
請求項３０に係る本発明の情報処理装置の電源供給制御方法は、電源供給装置から情報記憶装置への電力供給の停止中に第３のスイッチの押下を検出した際にこの第３のスイッチの押下された論理状態を保持し、リムーバブル媒体搬送装置を作動させたあとに前記保持した論理状態を解放するものである。
【００６６】
このようにすると、情報記憶装置への電力供給の停止中に押下された第３のスイッチの論理状態を保持するので、使用者が情報記憶装置への電力供給の開始後まで第３のスイッチの押下状態を保持し続けなくても媒体の排出動作を行うことができる。
【００６７】
請求項３１に係る本発明の情報処理装置の電源供給制御方法は、情報記憶装置への電力供給を行うとともにリムーバブル媒体搬送装置のロード動作を行った場合において、ロード動作完了後に前記情報記憶装置の内部にリムーバブル媒体がないことを検出したときには、電力供給を行った前記情報記憶装置、または前記情報記憶装置および制御装置への電力供給を停止するように、電源制御装置によって電源供給装置を制御するものである。
【００６８】
このようにすると、情報記憶装置への媒体ロード動作後に装置内に媒体が無い場合には電力供給を停止するので、使用者が情報記憶装置の電力供給停止中に情報記憶装置の媒体搬送装置を媒体なしでロードさせた場合でも、情報処理装置の消費電力を最低限度とすることができる。
【００６９】
請求項３２に係る本発明の情報処理装置の電源供給制御方法は、リムーバブル媒体を保持するリムーバブル媒体保持装置を、リムーバブル媒体のためのロード／イジェクト機構として用い、前記情報記憶装置の外部に設けられて前記リムーバブル媒体保持装置を動作させるための第５のスイッチと、前記情報記憶装置の内部に設けられて前記リムーバブル媒体保持装置が情報記憶装置の内部でロック状態にあることを検出する第６のスイッチとを用い、前記第５のスイッチの押下時に、前記第６のスイッチにより前記リムーバブル媒体保持装置がロック状態にあることを検出した場合は、前記リムーバブル媒体保持装置のロック状態を解除して前記リムーバブル媒体保持装置を情報記憶装置の外部に排出し、前記リムーバブル媒体保持装置が非ロック状態からロック状態となったことを前記第６のスイッチにより検出したときには、前記リムーバブル媒体からのデータを読み出し可能および／または前記リムーバブル媒体へデータを記録可能な状態とするものである。
【００７０】
このようにすると、複数のスイッチの押下状態の変化を検出して電力供給を行うとともに、複数のスイッチの論理状態に応じてロード／イジェクト動作を適切に行うことができる。
【００７１】
請求項３３に係る本発明の情報処理装置の電源供給制御方法は、電源供給装置から情報記憶装置への電力供給の停止中に第５のスイッチの押下を検出した際にこの第５のスイッチの押下された論理状態を保持し、リムーバブル媒体保持装置のロックを解除させたあとに前記保持した論理状態を解放するものである。
【００７２】
このようにすると、情報記憶装置への電力供給の停止中に押下された第５のスイッチの論理状態を保持するので、使用者が情報記憶装置への電力供給の開始後まで第５のスイッチの押下状態を保持し続けなくても媒体の排出動作を行うことができる。
【００７３】
請求項３４に係る本発明の情報処理装置の電源供給制御方法は、情報記憶装置への電力供給を行っているときに第６のスイッチによりリムーバブル媒体保持装置が情報記憶装置の内部でロック状態にあることを検出しているのに、前記情報記憶装置の内部にリムーバブル媒体がないことを検出した場合には、電力供給を行っている前記情報記憶装置、または前記情報記憶装置および制御装置への電力供給を停止するものである。
【００７４】
このようにすると、情報記憶装置への媒体ロード動作後に装置内に媒体が無い場合には電力供給を停止するので、使用者が情報記憶装置への電力供給の停止中に情報記憶装置のリムーバブル媒体載置装置を媒体なしでロードさせた場合でも、情報処理装置の消費電力を最低限度とすることができる。
【００７５】
請求項３５に係る本発明の情報記憶装置は、スイッチの押下状態の変化によってリムーバブル媒体のためのロード／イジェクト機構を作動させる情報記憶装置において、前記情報記憶装置は、制御装置によって、前記リムーバブル媒体へのデータの記録および／または前記リムーバブル媒体からのデータの読み出しを行うように制御されるように構成され、前記情報記憶装置は、前記情報記憶装置および制御装置へ電力を供給および供給停止可能な電源供給装置に接続されるように構成され、前記情報記憶装置は電源制御装置を備え、この電源制御装置は、前記電源供給装置による電力の供給停止時も電力を供給可能な常時電源供給装置からの電力の供給を受けて動作するとともに、前記電源供給装置から前記情報記憶装置への電力供給停止中に前記スイッチの押下状態が変化したときに、前記電源供給装置を制御して、前記情報記憶装置、または前記情報記憶装置および前記制御装置への電力供給を行わせて、前記リムーバブル媒体のロード／イジェクト機構を作動させるように前記情報記憶装置を制御するように構成したものである。
【００７６】
このようなものであると、情報記憶装置および制御装置への電力の供給が停止されている間は、電源制御装置にのみ電力が供給されるので、装置全体への電力供給停止時における消費電力を最低限度とすることができるとともに、スイッチの押下状態の変化を検出して電力供給を開始しスイッチの論理状態に応じてロード／イジェクト動作を適切に行うことができる。
【００７７】
請求項３６に係る本発明の情報記憶装置は、電源制御装置が、ロード／イジェクト機構を動作させるように情報記憶装置を制御してリムーバブル媒体をイジェクトさせた場合には、イジェクト動作終了後に電源供給装置からの電力供給を停止し、かつ前記ロード／イジェクト機構を動作させるように前記情報記憶装置を制御して前記リムーバブル媒体をロードさせた場合には、ロード動作終了後も前記電源供給装置からの電力供給を停止しないように制御を行うようにしたものである。
【００７８】
このようなものであると、行ったロード／イジェクトの動作に応じて電源供給装置を制御することで、イジェクト後は装置への電力供給を停止し、またロード時は装置への電力供給を停止しないので、イジェクト後は余分な電力を消費せず、また媒体挿入を行うことで、ロード後は情報処理装置が媒体の内容に応じた処理を自動的に行うようにすることができる。
【００７９】
請求項３７に係る本発明の情報記憶装置は、電源制御装置が、情報記憶装置への電力供給停止中にスイッチの押下状態が変化してリムーバブル媒体をイジェクトする際には、電源供給装置を制御して情報記憶装置への電力供給を行い、情報記憶装置への電力供給停止中にスイッチの押下状態が変化してリムーバブル媒体をロードする際には、電源供給装置を制御して情報記憶装置および制御装置への電力供給を行い、前記リムーバブル媒体をイジェクトさせた場合には、イジェクト動作終了後に前記電源供給装置を制御して前記情報記憶装置への電力供給を停止し、前記リムーバブル媒体をロードさせた場合には、ロード動作終了後も前記電源供給装置の電力供給を停止しないように制御を行うものである。
【００８０】
このようなものであると、行ったロード／イジェクトの動作に応じて電源供給装置を制御することで、イジェクト時は情報記憶装置のみへの電力供給を行うとともにイジェクト動作後に停止し、ロード時は全体の装置の電源供給を行ってロード動作を行うとともにその後も電源供給を停止しないので、イジェクト時は消費電力を最低限度とし、また媒体挿入を行うことによるロード後は情報処理装置が媒体の内容に応じた処理を自動的に行うことができる。
【００８１】
請求項３８に係る本発明の情報記憶装置は、スイッチの押下状態の変化によってリムーバブル媒体のためのロード／イジェクト機構を作動させる情報記憶装置であって、前記情報記憶装置は、制御装置によって、前記リムーバブル媒体へのデータの記録および／または前記リムーバブル媒体からのデータの読み出しを行うように制御されるように構成され、前記情報記憶装置は、前記情報記憶装置および制御装置へ電力を供給および供給停止可能な電源供給装置に接続されるように構成され、前記電源供給装置は電源スイッチにより電源供給を開始および停止されるように構成され、前記電源スイッチは、電源供給開始時にはＯＳ上で実行されるユーザープログラムにより汎用処理を行うことができる通常起動モードで前記制御装置を起動するように構成され、前記情報記憶装置は電源制御装置を備え、この電源制御装置は、前記電源供給装置による電力の供給停止時も電力を供給可能な常時電源供給装置からの電力の供給を受けて動作するとともに、前記電源供給装置から前記情報記憶装置への電力供給停止中に前記情報記憶装置の外部あるいは内部に設けられたスイッチの押下状態が変化したときに、前記電源供給装置を制御して、前記情報記憶装置、または前記情報記憶装置および前記制御装置への電力供給を行わせたのち、前記リムーバブル媒体に記録された予め定めたフォーマットのデータを再生または処理するためのインスタント起動モードで前記制御装置を起動し、前記スイッチの押下状態の変化に応じて、前記リムーバブル媒体のロード／イジェクト機構を作動させるように前記情報記憶装置を制御するものである。
【００８２】
このようなものであると、情報記憶装置および制御装置への電力の供給が停止されている間は、電源制御装置にのみ電力が供給されるので、装置全体への電力供給停止時における消費電力を最低限度とすることができるとともに、スイッチの押下状態の変化を検出して電力供給を開始しインスタントモードで制御装置を駆動するものであるため素早く動作を開始させることができる。
【００８３】
請求項３９に係る本発明の情報記憶装置は、電源制御装置が、インスタント起動モードで起動した際に、ロード／イジェクト機構を動作させるように情報記憶装置を制御してリムーバブル媒体をイジェクトさせた場合には、イジェクト動作終了後に電源供給装置からの電力供給を停止し、情報記憶装置内にリムーバブル媒体が存在しない場合には電源供給装置からの電力供給を停止し、前記ロード／イジェクト機構を動作させるように前記情報記憶装置を制御して前記リムーバブル媒体をロードさせた場合には、ロード動作終了後も電供給装置からの電力供給を停止しないように制御を行うものである。
【００８４】
このようなものであると、行ったロード／イジェクトの動作に応じて電源供給装置を制御することで、イジェクト後は装置への電力供給を停止し、またロード時は装置への電力供給を停止しないので、イジェクト後は余分な電力を消費せず、また媒体挿入を行うことで、ロード後は情報処理装置が媒体の内容に応じた処理を自動的に行うようにすることができる。
【００８５】
請求項４０に係る本発明の情報記憶装置は、電源制御装置が、インスタント起動モードで起動した際にリムーバブル媒体上のデータの種類を判別し、予め定めたフォーマットのデータが記録されている場合には該当データの再生または処理を行い、予め定めたフォーマットのデータが記録されていない場合には電源供給装置を制御して電力供給を停止するように制御を行うものである。
【００８６】
このようなものであると、リムーバブル媒体上に予め定めたフォーマットのデータが記録されている場合にのみ、該当データを正しく再生または処理することができる。
【００８７】
請求項４１に係る本発明の情報記憶装置は、電源制御装置が、インスタント起動モードで起動した際にリムーバブル媒体上のデータの種類を判別し、予め定めたフォーマットのデータが記録されている場合には該当データの再生または処理を行い、予め定めたフォーマットのデータが記録されていない場合には通常モードでの再起動を行うように制御を行うものである。
【００８８】
このようなものであると、リムーバブル媒体上に予め定めたフォーマットのデータが記録されている場合にのみ、該当データを正しく再生または処理することができる。
【００８９】
請求項４２に係る本発明の情報記憶装置は、予め定めたフォーマットのデータが、ＤＶＤ−Ｖｉｄｅｏ、Ｖｉｄｅｏ  ＣＤ、ＣＤ  Ａｕｄｉｏなどの、動画、音声データ規格のデータであるようにしたものである。
【００９０】
請求項４３に係る本発明の情報記憶装置は、情報記憶装置の外部に設けられた第１のスイッチの押下によりリムーバブル媒体のためのロード／イジェクト機構を作動させて前記リムーバブル媒体をイジェクトするように構成されるとともに、情報記憶装置の内部に設けられた第２のスイッチの押下状態が、前記リムーバブル媒体の挿入により変化することで、前記リムーバブル媒体のためのロード／イジェクト機構を作動させて前記リムーバブル媒体をロードし、前記リムーバブル媒体からのデータを読み出し可能および／または前記リムーバブル媒体へデータを記録可能とするように構成されているようにしたものである。
【００９１】
このようなものであると、リムーバブル媒体をイジェクトすることと、リムーバブル媒体をロードして、そのリムーバブル媒体からのデータを読み出し可能および／または前記リムーバブル媒体へデータを記録可能とすることとを、確実に実行することができる。
【００９２】
請求項４４に係る本発明の情報記憶装置は、電源供給装置からの情報記憶装置への電力供給の停止中に第１のスイッチの押下を検出した際に、この第１のスイッチの押下された論理状態を保持するとともに、リムーバブル媒体のためのロード／イジェクト機構を作動させて前記リムーバブル媒体をロードまたはイジェクトした際に、前記保持した論理状態を解放する論理保持装置を備え、前記論理保持装置の出力および第２のスイッチの論理により前記リムーバブル媒体のためのロード／イジェクト機構をロードまたはイジェクト動作させるようにしたものである。
【００９３】
このようなものであると、情報記憶装置への電力供給停止中に押下された第１のスイッチの論理状態を保持するので、第１のスイッチの押下状態を情報記憶装置への電力供給開始後まで使用者が保持し続けなくても媒体の排出動作を行うことができる。
【００９４】
請求項４５に係る本発明の情報記憶装置は、電源制御装置が、第２のスイッチの押下状態の変化により情報記憶装置への電力供給を行った際において、前記第２のスイッチの押下状態の変化がもとの状態になっていた場合には、リムーバブル媒体のためのロード／イジェクト機構を動作させずに、電力供給を行った前記情報記憶装置、または前記情報記憶装置および制御装置への電力供給を停止するように電源供給装置を制御するようにしたものである。
【００９５】
このようなものであると、情報記憶装置への電力供給の開始後にリムーバブル媒体がロード状態から解除されていた場合には、ロード動作を行わずに電力供給を停止するので、使用者が情報記憶装置への電力供給停止中にリムーバブル媒体をロード可能としたうえで、リムーバブル媒体をすぐに情報記憶装置外に取り出した場合でも、情報処理装置の消費電力を最低限度とすることができる。
【００９６】
請求項４６に係る本発明の情報記憶装置は、リムーバブル媒体のためのロード／イジェクト機構が、前記リムーバブル媒体を保持して情報記憶装置の内部に搬送するリムーバブル媒体搬送装置であり、情報記憶装置の外部に設けられて前記リムーバブル媒体搬送装置を動作させるための第３のスイッチと、前記情報記憶装置の内部に設けられて前記リムーバブル媒体搬送装置がイジェクト状態にあることを検出する第４のスイッチとを備え、前記第３のスイッチの押下時に前記リムーバブル媒体搬送装置が前記リムーバブル媒体をイジェクトした状態にあるとき、または前記第４のスイッチの押下状態が変化したときに、前記リムーバル媒体のロード動作を行い、前記第４のスイッチの押下時に前記リムーバブル媒体搬送装置が前記リムーバブル媒体をイジェクトした状態にないときに、そのイジェクト動作を行うように構成されているようにしたものである。
【００９７】
このようなものであると、複数のスイッチの押下状態の変化を検出して電力供給を行い、これら複数のスイッチの論理状態に応じてロード／イジェクト動作を適切に行うことが可能な情報処理装置を提供することができる。
【００９８】
請求項４７に係る本発明の情報記憶装置は、電源供給装置から情報記憶装置への電力供給の停止中に第３のスイッチの押下を検出した際にこの第３のスイッチの押下された論理状態を保持するとともに、リムーバブル媒体搬送装置を作動させたあとに前記保持した論理状態を解放する論理保持装置を備え、前記論理保持装置の出力および第４のスイッチの論理により前記リムーバブル媒体搬送装置をロードまたはイジェクト動作させるように構成されているようにしたものである。
【００９９】
このようなものであると、情報記憶装置への電力供給の停止中に押下された第３のスイッチの論理状態を保持するので、使用者が情報記憶装置への電力供給の開始後まで第３のスイッチの押下状態を保持し続けなくても媒体の排出動作を行うことができる。
【０１００】
請求項４８に係る本発明の情報記憶装置は、電源制御装置が、情報記憶装置への電力供給を行うとともにリムーバブル媒体搬送装置のロード動作を行った場合において、ロード動作完了後に前記情報記憶装置の内部にリムーバブル媒体がないことを検出したときには、電力供給を行った前記情報記憶装置、または前記情報記憶装置および制御装置への電力供給を停止するように電源供給装置を制御する構成としたものである。
【０１０１】
このようなものであると、情報記憶装置への媒体のロード動作後に装置内に媒体が無い場合には電力供給を停止するので、使用者が情報記憶装置への電力供給停止中に情報記憶装置の媒体搬送装置を媒体なしでロードさせた場合でも、情報処理装置の消費電力を最低限度とすることができる。
【０１０２】
請求項４９に係る本発明の情報記憶装置は、リムーバブル媒体のためのロード／イジェクト機構が、前記リムーバブル媒体を保持するリムーバブル媒体保持装置であり、情報記憶装置の外部に設けられて前記リムーバブル媒体保持装置を動作させるための第５のスイッチと、前記情報記憶装置の内部に設けられて前記リムーバブル媒体保持装置が情報記憶装置の内部でロック状態にあることを検出する第６のスイッチとを備え、前記第５のスイッチの押下時に、前記第６のスイッチにより前記リムーバブル媒体保持装置がロック状態にあることを検出した場合は、前記リムーバブル媒体保持装置のロック状態を解除して前記リムーバブル媒体保持装置を情報記憶装置の外部に排出する動作を行い、前記リムーバブル媒体保持装置が非ロック状態からロック状態となったことを前記第６のスイッチにより検出したときには、前記リムーバブル媒体からのデータを読み出し可能および／または前記リムーバブル媒体へデータを記録可能な状態とする動作を行うようにしたものである。
【０１０３】
このようなものであると、複数のスイッチの押下状態の変化を検出して電力供給を行うとともに、複数のスイッチの論理状態に応じてロード／イジェクト動作を適切に行うことができる。
【０１０４】
請求項５０に係る本発明の情報記憶装置は、電源供給装置から情報記憶装置への電力供給の停止中に第５のスイッチの押下を検出した際にこの第５のスイッチの押下された論理状態を保持するとともに、リムーバブル媒体保持装置のロックを解除させたあとに前記保持した論理状態を解放する論理保持装置を備えたものである。
【０１０５】
このようなものであると、情報記憶装置への電力供給の停止中に押下された第５のスイッチの論理状態を保持するので、使用者が情報記憶装置への電力供給の開始後まで第５のスイッチの押下状態を保持し続けなくても媒体の排出動作を行うことができる。
【０１０６】
請求項５１に係る本発明の情報記憶装置は、電源制御装置が、情報記憶装置への電力供給を行っているときに第５のスイッチが押下解除状態でかつ第６のスイッチによりリムーバブル媒体保持装置が情報記憶装置の内部でロック状態にあることを検出しているのに、前記情報記憶装置の内部にリムーバブル媒体がないことを検出した場合には、電力供給を行っている前記情報記憶装置、または前記情報記憶装置および制御装置への電力供給を停止する構成であるようにしたものである。
【０１０７】
このようなものであると、情報記憶装置への媒体ロード動作後に装置内に媒体が無い場合には電力供給を停止するので、使用者が情報記憶装置への電力供給の停止中に情報記憶装置のリムーバブル媒体保持装置を媒体なしでロードさせた場合でも、情報処理装置の消費電力を最低限度とすることができる。
【発明の効果】
【０１０８】
本発明の情報処理装置によると、スイッチの押下状態の変化によってリムーバブル媒体のためのロード／イジェクト機構を作動させる情報記憶装置と、この情報記憶装置を制御して前記リムーバブル媒体へのデータの記録および／または前記リムーバブル媒体からのデータの読み出しを行う制御装置と、前記情報記憶装置および制御装置へ電力を供給および供給停止可能な電源供給装置と、前記電源供給装置による電力の供給停止時も電力を供給可能な常時電源供給装置と、前記常時電源供給装置からの電力の供給を受けて動作するとともに、前記電源供給装置から前記情報記憶装置への電力供給停止中に前記スイッチの押下状態が変化したときに、前記電源供給装置を制御して、前記情報記憶装置、または前記情報記憶装置および前記制御装置への電力供給を行わせて、前記リムーバブル媒体のロード／イジェクト機構を作動させるように前記情報記憶装置を制御する電源制御装置とを具備したため、また本発明の情報処理装置の電源供給制御方法によると、スイッチの押下状態の変化によってリムーバブル媒体のためのロード／イジェクト機構を作動させる情報記憶装置と、この情報記憶装置を制御して前記リムーバブル媒体へのデータの記録および／または前記リムーバブル媒体からのデータの読み出しを行う制御装置と、前記情報記憶装置および制御装置へ電力を供給および供給停止可能な電源供給装置と、前記電源供給装置による電力の供給停止時も電力を供給可能な常時電源供給装置とを具備した情報処理装置を制御するに際し、前記常時電源供給装置からの電力の供給を受けて動作する電源制御装置によって、前記電源供給装置から前記情報記憶装置への電力供給停止中に前記スイッチの押下状態が変化したときに、前記電源供給装置を制御して、前記情報記憶装置、または前記情報記憶装置および前記制御装置への電力供給を行わせることにより、前記リムーバブル媒体のロード／イジェクト機構を作動させるように前記情報記憶装置を制御するため、情報処理装置および制御装置への電力の供給が停止されている間は、電源制御装置にのみ電力が供給されるので、装置全体への電源供給停止時における消費電力を最低限度とすることができるとともに、スイッチの押下状態の変化を検出して電力供給を開始しスイッチの論理状態に応じてロード／イジェクト動作を適切に行うことができる。
【発明を実施するための最良の形態】
【０１０９】
以下に、本発明の実施の形態の情報処理装置および情報処理装置の電源供給制御方法を、図面を参照して詳細に説明する。
（実施の形態１）
以下に、請求項１〜３、９〜１１、１８〜２０、２６〜２８、３５〜３７、４３〜４５に係る発明の実施の形態について、図１、図２、図３、図４、図５を用いて説明する。
【０１１０】
図１は、本発明の情報処理装置をスロットインタイプのＣＤ−Ｒ／ＲＷ記録再生装置に適用した場合の構成のブロック図である。１はリムーバブル媒体で、たとえばＣＤ−ＲＯＭ／Ｒ／ＲＷ、ＤＶＤ−ＲＯＭ／Ｒ／ＲＷ、ＤＶＤ−ＲＡＭ、カートリッジ入りのＤＶＤ−ＲＡＭ、半導体メモリー媒体などである。本実施の形態ではＣＤ−Ｒ／ＲＷディスクである場合を例に説明する。図２は、スロットインタイプのＣＤ−Ｒ／ＲＷ記録再生装置にリムーバブル媒体を挿入する場合の外観を示す斜視図である。図３、図４、図５は、本実施の形態における情報処理装置の媒体ＬＯＡＤ／ＥＪＥＣＴ処理の流れを示すフローチャートである。
【０１１１】
図１および図２において、２は情報記憶装置で、リムーバブル媒体１を装填することで、リムーバブル媒体１内のデータの再生、あるいはリムーバブル媒体１へのデータの記録を行う。３はホストコンピュータで、インターフェイス装置４によって情報記憶装置２と接続されており、このインターフェイス装置４を介して、情報記憶装置２に様々な動作命令を送ったり、情報記憶装置２にて再生したデータを受け取ったりする動作を行う。インターフェイス装置４は、たとえば、ＡＴＡＰＩ、ＳＣＳＩ、ＵＳＢ、ＩＥＥＥ１３９４といった、コンピュータと情報記憶装置との通信の為に規格化されたインターフェイスを使用するのが一般的である。もちろん、インターフェイス装置４として、これらの規格以外のものを用いても、ホストコンピュータ３と情報記憶装置２との間でデータや命令のやりとりができれば、同様に実施可能である。
【０１１２】
５は電源装置で、電源スイッチ６によりＯＮ／ＯＦＦされる電源供給装置７と、電源スイッチ６を操作しても電源装置５に電力が供給されている限り常に電力を供給する常時電源供給装置８とにより構成される。電源供給装置７は、ホストコンピュータ３と、情報記憶装置２内のメイン電源稼働部９とに電源を供給する。情報記憶装置２内のメイン電源稼働部９は、情報記憶装置２の主機能を動作させるためのもので、ロード／イジェクト制御部１０、ＣＰＵ１１、媒体搬送装置１２や、図示しないリムーバブル媒体再生装置などが含まれる。また、常時電源供給装置８は、情報記憶装置２内の電源制御装置１３に電源を供給する。電源制御装置１３は、電源供給装置７による電源の供給およびその停止を制御するもので、ホストコンピュータ３、メイン電源稼働部９の電源が遮断されている間も、常時電源供給装置８から動作に必要な最低限度の電源が供給され動作している。
【０１１３】
１７は媒体排出スイッチ、１８は媒体挿入検出スイッチである。媒体排出スイッチ１７は、情報記憶装置２の外部に設けられており、使用者が押下することで媒体排出動作を行う。媒体挿入検出スイッチ１８は、装置２の内部に設けられており、リムーバブル媒体１が情報記憶装置２の内部に挿入されたことを検出する。検出されたスイッチ状態、あるいはスイッチ状態の変化にもとづき、電源供給装置７により電源が供給されている場合には、このスイッチ１８に接続されたＣＰＵ１１にて必要な処理を判断してロード／イジェクト制御部１０を動作させ、媒体搬送装置１２を駆動してＬＯＡＤ／ＥＪＥＣＴ動作を行う。媒体搬送装置１２は、たとえばスロットローディング方式の情報記憶装置では、媒体１を搬送するためのローラーや、媒体１を搬送するためのばねやギアの組み合わせによって構成されている。本実施の形態のスロットローディングタイプの情報記憶装置２では、図２に示すように、リムーバブル媒体１を情報記憶装置２の媒体挿入口２１に直接挿入することで自動的にリムーバブル媒体１を装置内部に搬送して、記録再生可能な状態とし、排出時も同様に媒体挿入口２１からリムーバブル媒体１が直接排出される。
【０１１４】
次に、ＬＯＡＤ／ＥＪＥＣＴを行う実際の動作の詳細について説明する。
まず、電源供給装置７よりホストコンピュータ３、メイン電源稼働部９に電源が供給されている場合の動作について説明する。メイン電源稼働部９に電源が供給されている場合には、ＣＰＵ１１は、電源制御装置１３を制御して、この電源制御装置１３による電源供給装置７の電源制御動作を行わないようにしておく。たとえば、情報記憶装置２のメイン電源稼働部９の電源供給が開始された際、あるいはＣＰＵ１１がハードウエア的にリセットされた際において、電源制御装置１３に電源供給開始要因として媒体排出スイッチ１７の押下、あるいは媒体挿入検出スイッチ１８の状態変化があったことがセットされていない場合には、ＣＰＵ１１から電源制御装置１３への出力ポートを用意しておき、ＣＰＵ１１からの出力状態がＨなら、電源制御装置１３は停止状態になるようにすればよい。
【０１１５】
この状態で、媒体排出スイッチ１７が押下された場合、図３（ａ）の処理Ａが実行される。Ｓ３０１にて、リムーバブル媒体１が情報記憶装置２内に装填されていると判断したときには、ＣＰＵ１１が媒体排出スイッチ１７の押下を検出すると、Ｓ３０２にて、ロード／イジェクト制御部１０を動作させ、媒体搬送装置１２を駆動してリムーバブル媒体１を情報記憶装置２の外部へ排出する。もちろん、このときリムーバブル媒体１がディスク状記憶媒体で回転している場合には、回転を停止させたのちに排出が行われるし、半導体メモリー等の非ディスク媒体であれば、アクセス停止などの必要な処理が行われたのちに排出が行われるのは当然である。
【０１１６】
リムーバブル媒体１が情報記憶装置２内に装填されていないときは、本実施の形態のスロットローディングタイプの情報記憶装置では、何も動作を行わない。
上記の処理が終了した後は、Ｓ３０３にて情報記憶装置２を待機状態とする。待機状態とは、情報記憶装置２のメイン電源稼働部９には電源が供給されている状態で、情報記憶装置２内部で不要な回路ブロックの動作を停止し、必要最小限の消費電力とすることをいう。このとき、電源制御装置１３は非動作状態であるので、Ｓ３０４にて電源供給装置７からの電源供給は継続される。
【０１１７】
次に、媒体挿入検出スイッチ１８の論理が変化した場合の動作について説明する。本実施の形態であるスロットローディングタイプの情報記憶装置２では、リムーバブル媒体１が媒体挿入口２１より直接一定位置まで挿入されると、媒体挿入検出スイッチ１８がこのリムーバブル媒体１の挿入を検出する。このとき、媒体挿入検出スイッチ１８の論理の変化は、機構上の構造によって異なる。たとえば、リムーバブル媒体１がある位置まで挿入された段階でＯＮ（あるいはＯＦＦ）になり、更に媒体搬送装置１２が動作して情報記憶装置２内部に引き込まれた段階でＯＦＦ（あるいはＯＮ）に論理が変化するケースや、リムーバブル媒体１がある位置まで挿入された段階でＯＮ（あるいはＯＦＦ）になり、以降リムーバブル媒体１が情報記憶装置２内にあるあいだはＯＮ（あるいはＯＦＦ）状態を維持するケースなど、様々な場合がある。
【０１１８】
ＣＰＵ１１が媒体挿入検出スイッチ１８の論理状態の変化を検出すると、図３（ｂ）の処理Ｂが実行される。Ｓ３０５にて、情報記憶装置２の構造にもとづく媒体ローディングシーケンスのスイッチ論理変化に従って、ロード／イジェクト制御部１０を動作させて、媒体搬送装置１２を駆動し、リムーバブル媒体１を情報記憶装置２内に引き込み、Ｓ３０６にて記録再生可能な状態にする。たとえば、ＣＤ−Ｒ／ＲＷ記録再生装置では、媒体１の種類を判別し、それに応じた記録再生動作に必要な調整、ディスク情報の取得を行って、記録再生可能な状態となる。そののち、Ｓ３０７にて、ホストコンピュータ３からの指令によりリムーバブル媒体１の記録／再生を行う。これらの処理が終了した後も、電源制御装置１３は非動作状態であるので、Ｓ３０８にて電源供給装置７による電源供給は継続される。
【０１１９】
次に、電源供給装置７からホストコンピュータ３、メイン電源稼働部９へは電源が供給されておらず、常時電源供給装置８により電源供給装置１３にのみ電源が供給されている場合の動作について説明する。メイン電源稼働部９に電源が供給されていない場合には、電源制御装置１３は電源供給装置７による電源の供給およびその停止のための制御動作が可能な状態となっている。
【０１２０】
この状態で、媒体排出スイッチ１７が押下されるか（図４（ａ）の処理Ｃを実行）、媒体挿入検出スイッチ１８の論理状態が変化した（図４（ｂ）の処理Ｄを実行）場合は、まず媒体排出スイッチ１７あるいは媒体挿入検出スイッチ１８が押されたことを電源制御装置１３が検知して、Ｓ４０１にて、電源供給装置７を制御して、メイン電源稼働部９、ホストコンピュータ３への電源供給を開始する。この際、電源制御装置１３は、ＣＰＵ１１に、電源供給装置７の停止中に媒体排出スイッチ１７あるいは媒体挿入検出スイッチ１８の論理が変化したことを通知する（Ｓ４０２）。具体的には、たとえばＣＰＵ１１が電源制御装置１３上のレジスタにアクセスする装置を備えており、メイン電源稼働部９の電源投入後またはリセット時に、状態変化のあったスイッチの情報がレジスタに記憶されており、その論理状態により、電源が投入された原因が媒体排出スイッチ１７が押下されたか、媒体挿入検出スイッチ１８の論理状態が変化したか、あるいはどちらのスイッチの状態変化にもよらず電源スイッチ６により電源が投入されたかを判断する。
【０１２１】
ＣＰＵ１１は、検出した電源投入要因により、図４（ａ）において媒体排出スイッチ１７が押されて電源供給が開始された場合には、情報記憶装置２内部にリムーバブル媒体１が存在するかどうかの判断を行う（Ｓ４０３）。そして、媒体が存在する場合には媒体排出動作（Ｓ４０４）を行い、Ｓ４１２にて情報記憶装置２を待機状態とする。媒体が存在しない場合はなにも動作を行わず（Ｓ４０５）、Ｓ４１２にて情報記憶装置２を待機状態とする。
【０１２２】
図４（ｂ）において媒体挿入検出スイッチ１８の論理状態が変化した場合には、Ｓ４０７にて、情報記憶装置２の構造上の媒体ローディングシーケンスのスイッチ論理変化に従って、ロード／イジェクト制御部１０を動作させて、媒体搬送装置１２を駆動し、リムーバブル媒体１を情報記憶装置２内に引き込み、Ｓ４０８にて記録再生可能な状態にする。たとえば、ＣＤ−Ｒ／ＲＷ記録再生装置では、媒体の種類を判別してそれに応じた記録再生動作に必要な調整、ディスク情報の取得を行って、記録再生可能な状態となる。そののち、Ｓ４０９にてホストコンピュータ３上でリムーバブル媒体１内のデータを再生したり、記録処理を行うことができる。
【０１２３】
図５（ａ）の処理Ｅのように、いずれのスイッチの状態変化もなく、電源スイッチ６が押下されて電源供給を開始した場合は、まずＳ５０１において電源供給装置７および常時電源供給装置８の両方が、遮断されていた状態から電源供給を開始する。これにより情報記憶装置２がハードウエア的にリセットされたときには、通常の電源投入時のイニシャル動作を行う。このイニシャル動作は、電源供給装置７にて電源供給を開始したうえで、先ほど説明したように電源制御装置１３を動作不能とし（Ｓ５０２）、たとえば装置内部にリムーバブル媒体１が装填されているかどうかを判別し（Ｓ５０３）、装填されている場合は、記録再生可能にする動作を行い（Ｓ５０４）、必要に応じてホストコンピュータ３からの指令により媒体１内のデータの再生または記録動作を行う（Ｓ５０５）。装填されていない場合には、Ｓ５０６にて、情報記憶装置２を待機状態とする。
【０１２４】
また、電源供給が開始された要因により、更にメイン電源稼働部９、ホストコンピュータ３の電源供給を制御することが可能である。たとえば媒体排出スイッチ１７が押下されて電源供給を開始し、媒体排出動作を行った後は、図４（ａ）のＳ４１２にて情報記憶装置２を待機状態とし、Ｓ４１３にてＣＰＵ１１により電源制御装置１３を制御して電源供給開始要因をリセットしたのち、Ｓ４０６にて電源供給装置７によるメイン電源稼働部９およびホストコンピュータ３の電源供給を停止する。これにより、電源供給遮断状態で媒体排出スイッチ１７が押された場合に、媒体排出動作を行ったあとで、メイン電源稼働部９、ホストコンピュータ３の電源を遮断することができる。
【０１２５】
また、媒体挿入検出スイッチ１８の論理状態が変化して電源供給を開始し、情報記憶装置内にリムーバブル媒体１をローディングして記録再生可能な状態とした場合には、図４（ｂ）のＳ４１０にて、電源制御装置１３を制御して電源供給が開始された要因情報をリセットして解除することで、電源制御装置１３は動作不能状態となり、次のＳ４１１にてメイン電源稼働部９、ホストコンピュータ３の電源供給がそのまま継続される。また、媒体挿入検出スイッチ１８の論理状態が変化して電源供給を開始したのに、情報記憶装置２内にリムーバブル媒体１をローディングできなかったり、リムーバブル媒体１が存在しなかった場合には、ＣＰＵ１１から電源制御装置１３を制御して電源供給装置７によりメイン電源稼働部９およびホストコンピュータ３の電源供給を停止することができる。
【０１２６】
電源スイッチ６が押下されて電源供給装置７がメイン電源稼働部９およびホストコンピュータ３の電源供給を開始した場合、および電源供給装置７および常時電源供給装置８の両方が遮断されていた状態から両電源供給装置７、８が電源供給を開始した場合には、リムーバブル媒体１の有無に関わらず、電源制御装置１３が動作不能状態となっているので、電源供給装置７の電源供給は継続される（Ｓ５０７）。
【０１２７】
電源遮断時の動作については、図５（ｂ）の処理Ｆのように、電源制御装置１３の制御により、あるいは電源スイッチ６の操作により電源供給装置７の電源供給が遮断された場合のいずれでも、Ｓ５０９にて、ＣＰＵ１１よりの電源供給装置１３の動作不能指令状態が解除され、Ｓ５１０にて電源制御装置１３が動作可能状態となる。
【０１２８】
本実施の形態１では、電源制御装置１３の動作あるいは動作不能を、ＣＰＵ１１からのポートによる制御で行う場合を例に説明したが、電源供給装置７の電源供給状態を電源制御装置１３で監視する方法など、様々な方法で同様に実施可能である。
【０１２９】
本実施の形態１では、情報記憶装置２のメイン電源稼働部９の電源供給が行われている状態で情報記憶装置２内にリムーバブル媒体１が存在しない状態となったときには何も動作をせず、情報記憶装置２を待機状態とする場合を例に説明したが、情報記憶装置２内部にリムーバブル媒体１があることを正常に検出できない障害が発生して媒体を排出できなくなることを防止するため、同様にロード／イジェクト制御部１０を動作させ、媒体搬送装置１２を駆動して媒体排出動作を行っても、同様に実施可能である。
【０１３０】
本実施の形態１では、情報記憶装置２のメイン電源稼働部９の電源供給が行われている状態で情報記憶装置２内にリムーバブル媒体１が存在しない状態となったときには情報記憶装置２を待機状態とする場合を例に説明したが、待機状態とすることは一般的な情報記憶装置の動作であり、待機状態としない場合でも同様に実施可能である。
【０１３１】
本実施の形態１では、リムーバブル媒体１の排出動作を媒体排出スイッチ１７の操作により情報記憶装置２の電源供給を開始することで行う場合を例に説明したが、機構的な強制媒体排出機構を利用して媒体排出動作は電源供給なしで行い、媒体ローディング動作のみを本実施の形態に記載の方法で行う場合でも同様に実施可能である。
【０１３２】
本実施の形態１では、電源制御装置１３のレジスタ情報により電源供給が開始された要因をＣＰＵ１１が検出する方法を例に説明したが、電源制御装置１３が、媒体排出スイッチ１７の作動の検出後、あるいは媒体挿入検出スイッチ１８の論理変化の検出後に、その論理状態を維持するように、それぞれのスイッチに接続された端子を出力端子に切り替えて変化した論理状態を維持してＣＰＵ１１へ入力し、更にＣＰＵ１１と接続された端子１個を利用してスイッチの状態変化により電源が投入されたことを知らせる論理状態（たとえば、通常はＬでスイッチ要因で電源が投入されるときはＨ）としたのちに、電源供給装置７を制御してメイン電源稼働部９およびホストコンピュータ３の電源供給を開始する方法など、電源供給が開始された要因をＣＰＵ１１に通知することが可能であればどのような方法でも同様に実施可能である。
【０１３３】
上記したように、電源制御装置１３は、電源供給を停止することができないものの、非常に単純な小規模のロジック回路で実現することが可能で、通常の情報記憶装置のスタンバイやスリープ状態のようにＩＣ内部でブロック毎の電源供給を遮断して必要なブロックのみ電源供給を行う場合と比較してもはるかに少ない消費電力とすることが可能である。
【０１３４】
したがって、本実施の形態によれば、特にスロットローディングタイプの情報記憶装置において、ホストコンピュータ３およびメイン電源稼働部９の電源供給が停止されている間は電源制御装置１３にのみ電力が供給されるので装置全体の電源供給停止時の消費電力を最低限度とすることができるとともに、情報記憶装置２に備えた複数のスイッチ６、１７、１８の押下状態の変化を検出して必要に応じて電源供給を開始し複数のスイッチ６、１７、１８の論理状態に応じてロード／イジェクト動作を適切に行うことができ、更に行ったロード／イジェクトの動作に応じて電源供給装置７を制御してメイン電源稼働部９およびホストコンピュータ３の電源供給を停止または継続するので、媒体１の挿入を行うことでロード後は情報処理装置２が媒体１の内容に応じた処理を自動的に行うことができる情報処理装置および情報処理装置の電源供給制御方法を提供することができる。
【０１３５】
（実施の形態２）
以下に、請求項１２〜１４、請求項２９〜３１、請求項４６〜４８に係る発明の実施の形態について、図６、図７、図８、図９、図１０を用いて説明する。
【０１３６】
図６は、本発明の情報処理装置をトレイタイプのＣＤ−Ｒ／ＲＷ記録再生装置に適用した場合の構成のブロック図である。１はリムーバブル媒体で、たとえばＣＤ−ＲＯＭ／Ｒ／ＲＷ、ＤＶＤ−ＲＯＭ／Ｒ／ＲＷ、ＤＶＤ−ＲＡＭ、カートリッジ入りのＤＶＤ−ＲＡＭ、半導体メモリー媒体などである。本実施の形態ではＣＤ−Ｒ／ＲＷディスクである場合を例に説明する。図７は、トレイタイプのＣＤ−Ｒ／ＲＷ記録再生装置にリムーバブル媒体を挿入する場合の外観を示す斜視図である。図８、図９、図１０は本実施の形態２における情報記憶装置の媒体ＬＯＡＤ／ＥＪＥＣＴ処理の流れを示すフローチャートである。
【０１３７】
図６および図７において、２は情報記憶装置で、リムーバブル媒体１を装填することでリムーバブル媒体１内のデータの再生、あるいはリムーバブル媒体１へのデータの記録を行う。３はホストコンピュータで、情報記憶装置２とインターフェイス装置４で接続されており、このインターフェイス装置４を介して、情報記憶装置２に様々な動作命令を送ったり、情報記憶装置２にて再生したデータを受け取ったりする動作を行う。インターフェイス装置４は、たとえば、ＡＴＡＰＩやＳＣＳＩ、ＵＳＢ、ＩＥＥＥ１３９４といった、コンピュータと情報記憶装置との通信の為に規格化されたインターフェイスを使用するのが一般的である。もちろん、インターフェイス装置４として、これらの規格以外のものを用いても、ホストコンピュータ３と情報記憶装置２との間でデータや命令のやりとりができれば同様に実施可能である。
【０１３８】
５は電源装置で、電源スイッチ６によりＯＮ／ＯＦＦされる電源供給装置７と、電源スイッチ６をＯＦＦ操作しても電源装置５に電力が供給されている限り常に電力を供給する常時電源供給装置８とにより構成される。電源供給装置７は、ホストコンピュータ３と、情報記憶装置２内のメイン電源稼働部９とに電源を供給する。情報記憶装置２内のメイン電源稼働部９は、情報記憶装置２の主機能を動作させるためのもので、ロード／イジェクト制御部１０、ＣＰＵ１１や、図示しないリムーバブル媒体再生装置などが含まれる。また、常時電源供給装置８は、情報記憶装置２内の電源制御装置１３に電源を供給する。電源制御装置１３は、ホストコンピュータ３、メイン電源稼働部９の電源が遮断されている間も、動作に必要な最低限度の電源が供給され動作している。
【０１３９】
３２はトレイ排出検出スイッチ、３４はトレイ動作スイッチである。トレイ動作スイッチ３４は、情報記憶装置２の外部に設けられており、使用者が押下することで媒体搬送トレイ３１のＬＯＡＤ／ＥＪＥＣＴ動作を行う。トレイ排出検出スイッチ３２は、装置２の内部に設けられたスイッチで、媒体搬送トレイ３１が完全に排出状態になったことを検出する。
【０１４０】
検出されたスイッチ状態、あるいはスイッチ状態の変化にもとづき、電源供給装置７により電源が供給されている場合には、ＣＰＵ１１にて必要な処理を判断してロード／イジェクト制御部１０を動作させ、トレイ駆動装置３３を駆動してＬＯＡＤ／ＥＪＥＣＴ動作を行う。トレイ駆動装置３３は、たとえばトレイローディング方式の情報記憶装置では、ローディングモーターと、ギアと、媒体搬送トレイ３１に設けられたギアとを組み合わせて、媒体搬送トレイ３１を駆動する方式が一般に知られている。また、本実施の形態２のトレイローディングタイプの情報記憶装置２では、図７に示すように、リムーバブル媒体１を媒体搬送トレイ３１に直接載置したうえで、使用者がトレイ動作スイッチ３４を押下するか、媒体搬送トレイ３１を直接情報記憶装置２の内部方向に押し込んでトレイ排出検出スイッチ３２の論理状態を変化させることで、自動的にリムーバブル媒体１を装置２の内部に搬送して、記録再生可能な状態とする。また排出時も同様に使用者がトレイ動作スイッチ３４を押下することで、媒体搬送トレイ３１と共にリムーバブル媒体１が装置２の外部に排出される。媒体搬送トレイ３１が装置２の外部に完全に排出されて、トレイ排出検出スイッチ３２の論理状態が変化すると、排出動作を停止する。
【０１４１】
次に、ＬＯＡＤ／ＥＪＥＣＴを行う実際の動作の詳細について説明する。
まず、電源供給装置７よりホストコンピュータ３、メイン電源稼働部９に電源が供給されている場合の動作について説明する。メイン電源稼働部９に電源が供給されている場合には、ＣＰＵ１１は、電源制御装置１３を制御して、電源供給装置７の電源制御動作を行わないようにする。たとえば、ＣＰＵ１１から電源制御装置１３への出力ポートを用意しておき、ＣＰＵ１１からの出力状態がＨなら、電源制御装置１３は停止状態すなわち非動作状態になるようにすればよい。
【０１４２】
この状態で、トレイ動作スイッチ３４が押下され、トレイ排出検出スイッチ３２の論理がトレイ排出状態となっていない場合は、図８（ａ）の処理Ｇが実行される。すなわち、リムーバブル媒体１が情報記憶装置２内に装填されているかどうかに関わらず、ＣＰＵ１１がトレイ動作スイッチ３４の押下を検出すると、Ｓ８０１にてロード／イジェクト制御部１０を動作させ、トレイ駆動装置３３を駆動して媒体搬送トレイ３１を情報記憶装置２の外部へ排出する。媒体搬送トレイ３１が情報記憶装置２の外部に完全に排出されると、前述したようにトレイ排出検出スイッチ３２の論理状態が変化し、これをＣＰＵ１１が検出して媒体搬送トレイ３１の排出動作を終了する。もちろん、情報記憶装置２内にリムーバブル媒体１が存在し、このときリムーバブル媒体１がディスク状記憶媒体で、回転している場合には、その回転を停止させたのちに排出が行われるし、半導体メモリー等の非ディスク媒体であれば、アクセス停止などの必要な処理が行われるのは当然である。そののち、Ｓ８０２にて情報記憶装置２を待機状態とする。これらの処理が終了した後は、電源制御装置１３は非動作状態であるので、Ｓ８０３にて電源供給装置７の電源供給は継続される。
【０１４３】
トレイ動作スイッチ３４が押下され、トレイ排出検出スイッチ３２がトレイ排出状態となっている場合、またはトレイ排出検出スイッチ３２がトレイ排出状態から変化した場合は、図８（ｂ）の処理Ｈが実行される。ここで、ＣＰＵ１１がトレイ動作スイッチ３４の押下またはトレイ排出検出スイッチ３２の状態変化を検出すると、Ｓ８０４にてロード／イジェクト制御部１０を動作させ、トレイ駆動装置３３を駆動して媒体搬送トレイ３１を情報記憶装置２の内部へ引き込む。そして、Ｓ８０５にてリムーバブル媒体１の有無を検出し、リムーバブル媒体１が媒体搬送トレイ３１に載置されていなかった場合にはＳ８０９で情報記憶装置２を待機状態とする。リムーバブル媒体１が媒体搬送トレイ３１に載置されていた場合には、Ｓ８０６にて、媒体１を記録再生可能な状態とする。たとえば、ＣＤ−Ｒ／ＲＷ記録再生装置では、媒体の種類を判別して、それに応じた記録再生動作に必要な調整やディスク情報の取得を行って、記録再生可能な状態となる。そののち、Ｓ８０７にて、ホストコンピュータ３からの指令によりリムーバブル媒体１の記録／再生を行う。
【０１４４】
これらの処理が終了した後も、電源制御装置１３は非動作状態であるので、Ｓ８０８にて電源供給装置７の電源供給は継続される。
次に、電源供給装置７よりホストコンピュータ３、メイン電源稼働部９に電源が供給されておらず、常時電源供給装置８により電源制御装置１３にのみ電源が供給されている場合の動作について説明する。メイン電源稼働部９に電源が供給されていない場合には、電源制御装置１３は動作可能状態となっている。
【０１４５】
この状態で、トレイ動作スイッチ３４が押下された場合には、電源制御装置１３がトレイ動作スイッチ３４の押下を検出すると、図９（ａ）の処理Ｉが実行される。まず、Ｓ９０１にて、電源供給装置７を制御して、メイン電源稼働部９、ホストコンピュータ３の電源供給を開始する。この際、Ｓ９０２にて、電源制御装置１３は、電源供給装置７の停止中にトレイ動作スイッチ３４の押下があったことをＣＰＵ１１に通知する。具体的には、たとえばＣＰＵ１１が電源制御装置１３上のレジスタにアクセスする装置を備えており、メイン電源稼働部９の電源投入後または情報記憶装置２のリセット時にレジスタに状態変化のあったスイッチの情報が記憶されており、その論理状態により、電源が投入された原因が、トレイ動作スイッチ３４の押下か、トレイ排出検出スイッチ３２の論理状態変化か、あるいはどちらのスイッチの状態変化にもよらず、電源スイッチ６により電源が投入されたかを判断する。ＣＰＵ１１は、検出した電源投入要因および媒体搬送トレイ３１の状態により（Ｓ９０３）ローディングあるいはイジェクトの動作を行う。トレイ排出検出スイッチ３２がトレイ排出状態となっている場合には、Ｓ９０４にて、ロード／イジェクト制御部１０を動作させ、トレイ駆動装置３３を駆動して媒体搬送トレイ３１を情報記憶装置２の内部へ引き込み、Ｓ９０５にてリムーバブル媒体１の有無を検出する。このとき、リムーバブル媒体１が媒体搬送トレイ３１に載置されていなかった場合には、Ｓ９０６にて、情報記憶装置２を待機状態とする。リムーバブル媒体１が媒体搬送トレイ３１に載置されていた場合には、Ｓ９０７にて記録再生可能な状態とする。たとえば、ＣＤ−Ｒ／ＲＷ記録再生装置では、媒体１の種類を判別して、それに応じた記録再生動作に必要な調整やディスク情報の取得を行って、記録再生可能な状態となる。
【０１４６】
トレイ動作スイッチ３４の押下により電源供給を開始し、Ｓ９０３においてトレイ排出検出スイッチ３２がトレイ排出状態となっていない場合には、Ｓ９１０にて、ＣＰＵ１１が、ロード／イジェクト制御部１０を動作させ、トレイ駆動装置３３を駆動して媒体搬送トレイ３１を情報記憶装置２の外部へ排出する。媒体搬送トレイ３１が情報記憶装置２の外部に完全に排出されると、前述したようにトレイ排出検出スイッチ３２の論理状態が変化し、これをＣＰＵ１１が検出して媒体搬送トレイ３１の排出動作を終了する。そののち、Ｓ９０６にて、情報記憶装置２を待機状態とする。
【０１４７】
また、電源制御装置１３が動作可能状態となっているときに、トレイ排出検出スイッチ３２の論理状態が排出状態から変化した場合には、図９（ｂ）の処理Ｊが実行される。すなわち、まず、Ｓ９１１にて、電源供給装置７を制御して、メイン電源稼働部９、ホストコンピュータ３への電源供給を開始する。この際、Ｓ９１２にて、電源制御装置１３は、電源供給装置７の停止中にトレイ排出検出スイッチ３２の論理状態変化があったことをＣＰＵ１１に通知する。以降は、トレイ動作スイッチ３４の押下を検出した場合においてトレイ排出検出スイッチ３２がトレイ排出状態であったときと同様に、Ｓ９０４にて、ロード／イジェクト制御部１０を動作させ、トレイ駆動装置３３を駆動して媒体搬送トレイ３１を情報記憶装置２の内部へ引き込む。次に、Ｓ９０５にてリムーバブル媒体１の有無を検出して、リムーバブル媒体１が媒体搬送トレイ３１に載置されていなかった場合には、Ｓ９０６にて、情報記憶装置２を待機状態とする。Ｓ９０５においてリムーバブル媒体１が媒体搬送トレイ３１に載置されていた場合には、Ｓ９０７にて記録再生可能な状態とする。たとえば、ＣＤ−Ｒ／ＲＷ記録再生装置では、媒体１の種類を判別して、それに応じた記録再生動作に必要な調整やディスク情報の取得を行って、記録再生可能な状態となる。そののち、Ｓ９０８にて、電源供給開始要因をリセットすることで、電源制御装置１３は動作不能状態となる。そののち、Ｓ９０９にて、ホストコンピュータ３上で、リムーバブル媒体１内のデータを再生したり、記録処理を行うことができる。
【０１４８】
図１０の処理Ｋのように、いずれのスイッチ３２、３４の状態変化もなく電源スイッチ６が押下されて電源供給を開始した場合は、電源供給装置７ならびに常時電源供給装置８の両方が、遮断されていた状態から電源供給を開始する（Ｓ１００１）。これにより、情報記憶装置２がハードウエア的にリセットされて、通常の電源投入時のイニシャル動作を行う。このイニシャル動作においては、たとえば先ほど説明したようにＣＰＵ１１が初期化されると、電源制御装置１３の電源供給開始要因をチェックし、電源供給開始要因がセットされていない場合に電源制御装置１３を動作不能とし（Ｓ１００２）、次にＳ１００３にてトレイ排出検出スイッチ３２をチェックして媒体搬送トレイ３１が排出状態であるかどうかを判別する。媒体搬送トレイ３１が排出状態である場合には、Ｓ１００４にてトレイローディング処理を行う。排出状態でない場合、およびトレイローディング処理を行った後は、たとえば装置内部にリムーバブル媒体１が装填されているかどうかを判別する（Ｓ１００５）。装填されている場合は、記録再生可能にする動作を行い（Ｓ１００６）、必要に応じてホストコンピュータ３からの指令により媒体内のデータを再生または記録動作を行う（Ｓ１００７）。装填されていない場合には、Ｓ１００８にて、情報記憶装置２を待機状態とする。
【０１４９】
また、電源供給が開始された要因により、更にメイン電源稼働部９、ホストコンピュータ３の電源供給を制御することが可能である。
たとえば図９（ａ）におけるトレイ動作スイッチ３４の押下により電源供給を開始し、トレイ排出動作を行った場合、またはトレイ動作スイッチ３４の押下により電源供給を開始し、情報記憶装置２内に媒体搬送トレイ３１をローディングした場合で媒体搬送トレイ３１にリムーバブル媒体１が存在しなかった場合、あるいは、図９（ｂ）におけるトレイ排出検出スイッチ３２の状態変化により電源供給を開始し、情報記憶装置２内に媒体搬送トレイ３１をローディングした場合で媒体搬送トレイ３１にリムーバブル媒体１が存在しなかった場合には、Ｓ９０８にて電源供給開始要因をリセットしたのち、Ｓ９１３にて、ＣＰＵ１１から電源制御装置１３を制御して電源供給装置７によるメイン電源稼働部９およびホストコンピュータ３の電源供給を停止することで、メイン電源稼働部９、ホストコンピュータ３の電源を遮断することができる。
【０１５０】
また、図９（ａ）におけるトレイ動作スイッチ３４の押下により電源供給を開始し、情報記憶装置２内にリムーバブル媒体１をローディングして記録再生可能な状態とした場合、または図９（ｂ）におけるトレイ排出検出スイッチ３２の状態変化により電源供給を開始し、情報記憶装置２内にリムーバブル媒体１をローディングして記録再生可能な状態とした場合には、Ｓ９０８にて、電源供給開始要因をリセットすることで、電源制御装置１３は動作不能状態となる。そののち、Ｓ９０９にてホストコンピュータ３上でリムーバブル媒体１内のデータを再生したり、記録処理を行ったりすることができ、電源供給装置７よりの電源供給は継続される（Ｓ９１４）。
【０１５１】
図１０において電源スイッチ６が押下されて電源供給装置７がメイン電源稼働部９およびホストコンピュータ３の電源供給を開始した場合、および電源供給装置７および常時電源供給装置８の両方が遮断されていた状態から両者７、８が電源供給を開始した場合には、リムーバブル媒体１の有無に関わらず、電源制御装置１３が動作不能状態となっているので、電源供給装置７の電源供給は継続される（Ｓ１００９）。
【０１５２】
電源遮断時の動作については、実施の形態１の場合と同様で、図５（ｂ）の処理Ｆのように、電源制御装置１３の制御によりあるいは電源スイッチ６の操作により電源供給装置７の電源供給が遮断された場合のいずれでも、Ｓ５０９にて、ＣＰＵ１１よりの電源供給装置１３の動作不能指令状態が解除され、Ｓ５１０にて電源制御装置１３が動作可能状態となる。
【０１５３】
本実施の形態２では、電源制御装置１３の動作あるいは動作不能をＣＰＵ１１からのポートによる制御で行う場合を例に説明したが、電源供給装置７の電源供給状態を電源制御装置１３で監視する方法など、様々な方法で同様に実施可能である。
【０１５４】
本実施の形態２では、媒体搬送トレイ３１の排出動作を、トレイ動作スイッチ３４の操作によりメイン電源稼働部９の電源供給を開始することで行う場合を例に説明したが、機構的な強制トレイ排出機構を利用してトレイ排出動作は電源供給なしで行い、トレイローディング動作のみを本実施の形態２に記載の方法で行う場合でも、同様に実施可能である。
【０１５５】
本実施の形態２では、情報記憶装置２のメイン電源稼働部９の電源供給が行われている状態で情報記憶装置２内にリムーバブル媒体１が存在しない状態となったときや、媒体搬送トレイ３１を排出した状態としたときには、情報記憶装置２を待機状態とする場合を例に説明した。しかし、待機状態とすることは一般的な情報記憶装置２の動作であり、待機状態としない場合でも同様に実施可能である。
【０１５６】
本実施の形態２では、電源供給が開始された要因を電源制御装置１３のレジスタ情報によりＣＰＵ１１が検出するものを例に説明したが、電源制御装置１３が、トレイ動作スイッチ３４、あるいはトレイ排出検出スイッチ３２の論理変化を検出後に、その論理状態を維持するように、それぞれのスイッチ３２、３４に接続された端子を出力端子に切り替えて、変化した論理状態を維持してＣＰＵ１１へ入力し、更にＣＰＵ１１と接続された端子１個を利用してスイッチの状態変化により電源が投入されたことを知らせる論理状態（たとえば、通常はＬ、スイッチ要因で電源が投入されるときはＨ）としたのちに、電源供給装置７を制御してメイン電源稼働部９およびホストコンピュータ３の電源供給を開始するものなど、電源供給が開始された要因をＣＰＵ１１に通知することが可能であれば、どのようなものでも同様に実施可能である。
【０１５７】
上記したように、電源制御装置１３は、電源供給を停止することはできないものの、非常に単純な小規模のロジック回路で実現することが可能で、通常の情報記憶装置のスタンバイやスリープ状態のようにＩＣ内部でブロック毎の電源供給を遮断して必要なブロックのみ電源供給を行う場合と比較しても、はるかに少ない消費電力とすることが可能である。
【０１５８】
したがって、本実施の形態２によれば、特にトレイローディングタイプの情報記憶装置において、ホストコンピュータ３およびメイン電源稼働部９の電源供給が停止されている間は電源制御装置１３にのみ電力が供給されるので装置全体の電源供給停止時の消費電力を最低限度とすることができるとともに、情報記憶装置２に備えた複数のスイッチの押下状態の変化を検出して必要に応じて電源供給を開始し複数のスイッチの論理状態に応じてロード／イジェクト動作を適切に行うことができ、更に行ったロード／イジェクトの動作に応じて電源供給装置７を制御してメイン電源稼働部９およびホストコンピュータ３の電源供給を停止または継続するので、媒体挿入を行うことで、ロード後は媒体１の内容に応じた処理を自動的に行うことができる情報処理装置および情報処理装置の電源供給制御方法を提供することができる。
【０１５９】
（実施の形態３）
以下に、請求項１５〜１７、請求項３２〜３４、請求項４９〜５１に係る発明の実施の形態について、図１１、図１２、図１３、図１４、図１５を用いて説明する。
【０１６０】
図１１は、本発明をスリムトレイタイプのＣＤ−Ｒ／ＲＷ記録再生装置に適用した場合の構成のブロック図である。１はリムーバブル媒体で、たとえばＣＤ−ＲＯＭ／Ｒ／ＲＷ、ＤＶＤ−ＲＯＭ／Ｒ／ＲＷ、ＤＶＤ−ＲＡＭ、カートリッジ入りのＤＶＤ−ＲＡＭ、半導体メモリー媒体などである。本実施の形態ではＣＤ−Ｒ／ＲＷディスクである場合を例に説明する。図１２は、スリムトレイタイプのＣＤ−Ｒ／ＲＷ記録再生装置にリムーバブル媒体を装填する場合の外観を示す斜視図である。
【０１６１】
図１１および図１２において、２は情報記憶装置で、リムーバブル媒体１を装填することで、リムーバブル媒体１内のデータの再生、あるいはリムーバブル媒体１へのデータの記録を行う。３はホストコンピュータで、情報記憶装置２とインターフェイス装置４で接続されており、インターフェイス装置４を介して、情報記憶装置２に様々な動作命令を送ったり、情報記憶装置２にて再生したデータの受け取り処理を行ったりといった動作を行う。インターフェイス装置４はたとえば、ＡＴＡＰＩやＳＣＳＩ、ＵＳＢ、ＩＥＥＥ１３９４といったコンピュータと情報記憶装置の通信の為に規格化されたインターフェイスを使用するのが一般的である。もちろん、これらの規格以外のインターフェイス装置を用いても、ホストコンピュータ３と情報記憶装置２との間でデータや命令のやりとりができれば、同様に実施可能である。
【０１６２】
５は電源装置で、電源スイッチ６によりＯＮ／ＯＦＦされる電源供給装置７と、電源スイッチ６を操作しても電源装置５に電力が供給されている限り常に電力を供給する常時電源供給装置８とにより構成される。電源供給装置７は、ホストコンピュータ３と、情報記憶装置２内のメイン電源稼働部９とに電源を供給する。情報記憶装置２内のメイン電源稼働部９は、情報記憶装置２の主機能を動作させるためのブロックで、イジェクト制御部５５、ＣＰＵ１１などが含まれる。５２は媒体載置トレイで、トレイロック解除装置５１や図示しないリムーバブル媒体再生装置などが含まれ、同様に電源供給装置７からの電源供給により動作する。また、常時電源供給装置８は、情報記憶装置２内の電源制御装置１３に電源を供給する。電源制御装置１３は、ホストコンピュータ３の電源が遮断されている間も動作に必要な最低限度の電源が供給され動作している。
【０１６３】
５３はトレイ排出スイッチ、５４はトレイロック検出スイッチである。トレイ排出スイッチ５３は、情報記憶装置２の外部に設けられており、使用者が押下することで媒体載置トレイ５２の情報記憶装置２内へのロック状態を電気的に解除する。このロック状態の解除によって、媒体載置トレイ５２は、トレイ排出スイッチ５３とともに、情報記憶装置２と媒体載置トレイ５２との間に設けられた図示しないばねなどの弾性体の作用により、情報記憶装置２の外部に排出される。トレイロック検出スイッチ５４は、装置２の内部に設けられたスイッチで、媒体載置トレイ５２が情報記憶装置２の内部に完全に押し込まれてロック状態になったことを検出する。
【０１６４】
検出されたスイッチ状態、あるいはスイッチ状態の変化にもとづき、電源供給装置７により電源が供給されている場合には、スイッチ５３、５４が接続されているＣＰＵ１１にて必要な処理を判断して、媒体載置トレイ５２を排出する動作、あるいはリムーバブル媒体１を記録再生可能な状態とする動作を行う。
【０１６５】
トレイロック解除装置５１は、たとえば本実施の形態３のスリムトレイローディング方式の情報記憶装置では、プランジャなどの磁気駆動装置により、情報記憶装置２内の媒体載置トレイ５２のロック状態を解除するものなどが一般的である。また、本実施の形態３で説明するスリムトレイローディングタイプの情報記憶装置２では、図１２に示すように、図示しない媒体再生装置を含む媒体載置トレイ５２上のターンテーブル上にリムーバブル媒体１をロックしたうえで、使用者が媒体載置トレイ５２を情報記憶装置２の内部方向に押し込んでロック状態とし、トレイロック検出スイッチ５４の論理状態が変化することで、リムーバブル媒体１を記録再生可能な状態にする動作を開始する。
【０１６６】
次に、ＬＯＡＤ／ＥＪＥＣＴを行う実際の動作の詳細について説明する。
まず、電源供給装置７よりホストコンピュータ３、メイン電源稼働部９に電源が供給されている場合の動作について説明する。メイン電源稼働部９に電源が供給されている場合には、ＣＰＵ１１は、電源制御装置１３を制御して電源供給装置７の電源制御動作を行わないようにする。たとえば、ＣＰＵ１１から電源制御装置１３への出力ポートを用意しておき、ＣＰＵ１１からの出力状態がＨなら、電源制御装置１３は停止状態になるようにすればよい。
【０１６７】
この状態でトレイ排出スイッチ５３が押下されたときには、図１３（ａ）の処理Ｌが実行される。処理Ｌでは、まずトレイロック検出スイッチ５４がロック状態であるかどうかをＳ１３０１にてチェックする。ロック状態となっている場合には、リムーバブル媒体１が情報記憶装置２内に装填されているかどうかに関わらず、Ｓ１３０２にて、イジェクト制御部５５を動作させ、トレイロック解除装置５１を駆動して媒体載置トレイ５２のロック状態を解除する。すると、媒体載置トレイ５２と情報記憶装置２の本体との間に設けられたばね等の弾性体の作用により、媒体載置トレイ５２は、情報記憶装置２の外部へ排出される。このとき、リムーバブル媒体１がディスク状記憶媒体で回転している場合には、回転を停止させたのち排出が行われるし、半導体メモリー等の非ディスク媒体であれば、アクセス停止などの必要な処理が行われるのは当然である。またこのとき、媒体載置トレイ５２は情報記憶装置２の外部へ完全に排出される必要はなく、一定量排出されていれば、使用者が手で媒体載置トレイ５２を情報記憶装置２外へ完全に引き出してリムーバブル媒体１の装填、取り外しを行うことができる。なお、トレイ排出スイッチ５３が押下された場合において、トレイロック検出スイッチ５４がトレイ非ロック状態となっているときには、なにも動作を行わない。これらの処理ののち、Ｓ１３０３にてメイン電源稼働部９すなわち情報記憶装置２を待機状態とする。また、これらの処理が終了した後は、電源制御装置１３は非動作状態であるので、Ｓ１３０４にて電源供給装置７による電源供給は継続される。
【０１６８】
次にローディング動作について説明する。媒体載置トレイ５２が排出されている状態で、使用者が、媒体載置トレイ５２にリムーバブル媒体１を載置した状態または媒体１を載置しない状態で、この媒体載置トレイ５２を情報記憶装置２の内部に押し込んで、媒体載置トレイ５２をロック状態にすると、図１３（ｂ）の処理Ｍが実行される。媒体載置トレイ５２がロック状態となると、トレイロック検出スイッチ５４が非ロック状態からロック状態に変化し、これをＣＰＵ１１が検出する。次に、Ｓ１３０５にてリムーバブル媒体１の有無を検出し、リムーバブル媒体１が媒体載置トレイ５２に載置されていなかった場合には、Ｓ１３０６にて情報記憶装置２を待機状態とする。待機状態は、情報記憶装置２のメイン電源稼働部９に電源が供給されている状態で、かつ情報記憶装置２の内部で不要な回路ブロックの動作を停止し、必要最小限の消費電力とすることである。このとき、電源制御装置１３は非動作状態であるので、Ｓ１３０７にて電源供給装置７の電源供給は継続される。
【０１６９】
Ｓ１３０５においてリムーバブル媒体１が媒体載置トレイ５２に載置されている場合には、Ｓ１３０８にて記録再生可能な状態とする。たとえば、ＣＤ−Ｒ／ＲＷ記録再生装置では、媒体１の種類を判別してそれに応じた記録再生動作に必要な調整、ディスク情報の取得を行って、記録再生可能な状態となる。そののち、Ｓ１３０９にてホストコンピュータ３からの指令によりリムーバブル媒体１の記録／再生を行う。これらの処理が終了した後も、電源制御装置１３は非動作状態であるので、同様にＳ１３０７にて電源供給装置７による電源供給は継続される。
【０１７０】
次に、電源供給装置７よりホストコンピュータ３、メイン電源稼働部９に電源が供給されておらず、常時電源供給装置８により電源制御装置１３に電源が供給されている場合の動作について説明する。メイン電源稼働部９に電源が供給されていない場合には、電源制御装置１３は動作可能状態となっている。
【０１７１】
この状態でトレイ排出スイッチ５３が押下されると、図１４（ａ）の処理Ｎが実行される。処理Ｎでは、電源制御装置１３がトレイ排出スイッチ５３の押下を検出すると、Ｓ１４０１にて、トレイロック検出スイッチ５４のトレイロック論理を検知する。トレイロック状態なら、Ｓ１４０２にて、電源制御装置１３が電源供給装置７を制御して、メイン電源稼働部９、ホストコンピュータ３の電源供給を開始する。この際、Ｓ１４０３にて、電源制御装置１３は、ＣＰＵ１１に、電源供給装置７が停止中にトレイ排出スイッチ５３の押下があったことを通知する。具体的には、たとえばＣＰＵ１１が電源制御装置１３上のレジスタにアクセスする装置を備えており、メイン電源稼働部９の電源投入後またはリセット時に、上記レジスタに、状態変化のあったスイッチの情報が記憶されており、その論理状態により、電源が投入された原因が、トレイ排出スイッチ５３の押下か、トレイロック検出スイッチ５４の論理状態変化か、あるいはどちらのスイッチの状態変化にもよらず、電源スイッチ６により電源が投入されたかを判断する。ＣＰＵ１１は、検出した電源投入要因および媒体載置トレイ５２の状態により、なにも動作しないか、あるいはイジェクトの動作を行う。
【０１７２】
トレイ排出スイッチ５３の押下により電源供給を開始し、トレイロック検出スイッチ５４がトレイロック状態となっている場合には、リムーバブル媒体１が情報記憶装置２の内部に装填されているかどうかに関わらず、Ｓ１４０４にて、イジェクト制御部５５を動作させ、トレイロック解除装置５１を駆動して、媒体載置トレイ５２のロック状態を解除する。このとき、リムーバブル媒体１がディスク状記憶媒体で回転している場合には、回転を停止させたのち排出が行われるし、半導体メモリー等の非ディスク媒体であれば、アクセス停止などの必要な処理が行われるのは当然である。すると、媒体載置トレイ５２と情報記憶装置２の本体との間に設けられたばね等の弾性体の作用により、媒体載置トレイ５２は、情報記憶装置２の外部へ排出される。このとき、媒体載置トレイ５２は情報記憶装置２外部へ完全に排出される必要はなく、一定量排出されていれば、使用者が手で媒体載置トレイ５２を情報記憶装置２の外へ完全に引き出して、リムーバブル媒体１の装填、取り外しを行うことができる。媒体載置トレイ５２を排出したあとは、Ｓ１４０５にて情報記憶装置２を待機状態とする。
【０１７３】
トレイ排出スイッチ５３が押下されたときに、トレイロック検出スイッチ５４がトレイ非ロック状態となっていれば、電源制御装置１３は、なにも動作を行わず、電源供給装置７も電源供給を開始しない。もちろん、電源供給が行われている場合と同様に、トレイロック検出スイッチ５４が故障している場合を考慮して、強制的にトレイロックを解除する動作を行うことも可能である。この場合は、トレイロック検出スイッチ５４の論理に関わらず、前述した電源供給開始要因のセット、電源供給開始、イジェクト、待機モードへの移行動作を行う。
【０１７４】
次に、媒体載置トレイ５２が排出されている状態で、使用者が、媒体載置トレイ５２にリムーバブル媒体１を載置した状態、または媒体を載置しない状態で、媒体載置トレイ５２を情報記憶装置２の内部に押し込んで、媒体載置トレイ５２をロック状態に変化させた場合の動作を説明する。すると、図１４（ｂ）の処理Ｏが実行される。すなわち、トレイロック検出スイッチ５４が非ロック状態からロック状態に変化し、これを電源制御装置１３が検出すると、Ｓ１４０７にて、電源供給装置７を制御して、メイン電源稼働部９、ホストコンピュータ３への電源供給を開始する。この際、Ｓ１４０８にて、電源制御装置１３は、ＣＰＵ１１に、電源供給装置７が停止中にトレイロック検出スイッチ５４が非ロック状態からロック状態に変化したことを通知する。電源供給が開始されたメイン電源稼働部９は、ＣＰＵ１１の制御により、Ｓ１４０９にて、リムーバブル媒体１の有無を検出する。このとき、リムーバブル媒体１が媒体載置トレイ５２に載置されていなかった場合には、Ｓ１４１３にて情報記憶装置２を待機状態とする。待機状態とは、情報記憶装置２のメイン電源稼働部９には電源が供給されている状態で、情報記憶装置２の内部で不要な回路ブロックの動作を停止し、必要最小限の消費電力とすることである。リムーバブル媒体１が媒体載置トレイ５２に載置されている場合には、Ｓ１４１０にて記録再生可能な状態とする。たとえば、ＣＤ−Ｒ／ＲＷ記録再生装置では、媒体１の種類を判別してそれに応じた記録再生動作に必要な調整、ディスク情報の取得を行って、記録再生可能な状態となる。
【０１７５】
また、電源供給が開始された要因や、リムーバブル媒体１の有無により、更にメイン電源稼働部９、ホストコンピュータ３の電源供給を制御することが可能である。たとえばトレイ排出スイッチ５３の押下により電源供給を開始し、媒体載置トレイ５２のロック解除動作を行った場合、または、トレイロック検出スイッチ５４の論理状態が非ロック状態からロック状態に変化して電源供給を開始し、リムーバブル媒体１が存在しないことを検出した場合には、Ｓ１４１５にて電源供給開始要因をリセットした後、またはＳ１４１７で情報記憶装置２を待機状態としたうえでＳ１４１６で電源供給開始要因をリセットした後、Ｓ１４０６またはＳ１４１４にて、ＣＰＵ１１から電源制御装置１３を制御して電源供給装置７によるメイン電源稼働部９およびホストコンピュータ３への電源供給を停止する。これにより、電源供給遮断状態でトレイ排出スイッチ５３が押された場合にトレイロック解除動作を行ったあと、または電源供給遮断状態で媒体載置トレイ５２が情報記憶装置２内に押し込まれて、ロック状態となったのにリムーバブル媒体が存在しなかった場合に、メイン電源稼働部９、ホストコンピュータ３の電源を遮断することができる。
【０１７６】
また、トレイロック検出スイッチ５４の論理状態が非ロック状態からロック状態に変化して電源供給を開始し、リムーバブル媒体１が存在して記録再生可能な状態とした場合には、Ｓ１４１１にて、電源制御装置１３を制御して電源供給が開始された要因情報をリセットして解除することで、ホストコンピュータ３上でリムーバブル媒体１内のデータを再生したり、記録処理を行ったりすることができ（Ｓ１４１２）、電源供給装置７よりの電源供給は継続される（Ｓ１４１３）。
【０１７７】
図１５の処理Ｐのように、いずれのスイッチの状態変化もなく、電源スイッチ６が押下されて電源供給を開始した場合は、電源供給装置７および常時電源供給装置８の両方が遮断状態から電源供給を開始し（Ｓ１５０１）、情報記憶装置２がハードウエア的にリセットされて、通常の電源投入時のイニシャル動作を行う。このイニシャル動作においては、たとえば先ほど説明したようにＣＰＵ１１が初期化されると、電源制御装置１３の電源供給開始要因をチェックし、電源供給開始要因がセットされていない場合に電源制御装置１３を動作不能とし（Ｓ１５０２）、次にＳ１５０３にてトレイロック検出スイッチ５４をチェックして媒体載置トレイ５２がロック状態であるかどうかを判別する。媒体載置トレイ５２が非ロック状態である場合には、Ｓ１５０４にて情報記憶装置２のメイン電源稼働部９を待機状態とする。媒体載置トレイ５２がロック状態である場合には、Ｓ１５０５にてリムーバブル媒体１の有無を検出する。
【０１７８】
リムーバブル媒体１が媒体載置トレイ５２に載置されていなかった場合にはＳ１５０４にて、メイン電源稼働部９を待機状態とする。リムーバブル媒体１が媒体載置トレイ５２に載置されている場合には、Ｓ１５０６にて記録再生可能な状態とする。たとえば、ＣＤ−Ｒ／ＲＷ記録再生装置では、媒体１の種類を判別しそれに応じた記録再生動作に必要な調整やディスク情報の取得を行って、記録再生可能な状態となる。そののち、Ｓ１５０７にて、ホストコンピュータ３からの指令によりリムーバブル媒体１の記録／再生を行う。これらの処理が終了した後も、電源制御装置１３は非動作状態であるので、同様にＳ１５０８にて電源供給装置７の電源供給は継続される。
【０１７９】
電源遮断時の動作については、実施の形態１と同様で、図５（ｂ）の処理Ｆのように、電源制御装置１３の制御によりあるいは電源スイッチ６の操作により電源供給装置７の電源供給が遮断された場合のいずれでも、Ｓ５０９にて、ＣＰＵ１１よりの電源供給装置１３の動作不能指令状態が解除され、Ｓ５１０にて電源制御装置１３が動作可能状態となる。
【０１８０】
本実施の形態３では、電源制御装置１３の動作あるいは動作不能をＣＰＵ１１からのポートによる制御で行う場合を例に説明したが、電源供給装置７の電源供給状態を電源制御装置１３で監視する方法など、様々な方法で同様に実施可能である。
【０１８１】
本実施の形態３では、媒体載置トレイ５２のロック解除動作を、媒体排出スイッチ５３の操作によりメイン電源稼働部９の電源供給を開始することで行う場合を例に説明したが、機構的な強制トレイロック解除機構を利用してトレイロック解除動作は電源供給なしで行い、トレイロック検出スイッチ５４の論理が、非ロックからロック状態に変化した場合の動作のみを、本実施の形態３に記載の方法で行う場合でも、同様に実施可能である。
【０１８２】
本実施の形態３では、情報記憶装置２のメイン電源稼働部９の電源供給が行われている状態で情報記憶装置２内にリムーバブル媒体１が存在しない状態となったときや、媒体載置トレイ５２を排出した状態となったときには、情報記憶装置２を待機状態とする場合を例に説明した。しかし、待機状態とすることは一般的な情報記憶装置２の動作であり、待機状態としない場合でも同様に実施可能である。
【０１８３】
本実施の形態３では、電源供給が開始された要因を電源制御装置１３のレジスタ情報によりＣＰＵ１１が検出するものを例に説明したが、電源制御装置１３が、トレイ排出スイッチ５３、あるいはトレイロック検出スイッチ５４の論理変化を検出後に、その論理状態を維持するように、それぞれのスイッチ５３、５４に接続された端子を出力端子に切り替えて、変化した論理状態を維持してＣＰＵ１１へ入力し、更にＣＰＵ１１と接続された端子１個を利用してスイッチの状態変化により電源が投入されたことを知らせる論理状態（たとえば、通常はＬでスイッチ要因で電源が投入されるときはＨ）としたのちに、電源供給装置７を制御してメイン電源稼働部９およびホストコンピュータ３の電源供給を開始するものなど、電源供給が開始された要因をＣＰＵ１１に通知することが可能であれば、どのようなものでも同様に実施可能である。
【０１８４】
上記したように、電源制御装置１３は、電源供給を停止することはできないものの、非常に単純な小規模のロジック回路で実現することが可能で、通常の情報記憶装置のスタンバイやスリープ状態のようにＩＣ内部でブロック毎の電源供給を遮断して必要なブロックのみ電源供給を行う場合と比較しても、はるかに少ない消費電力とすることが可能である。
【０１８５】
したがって、本実施の形態３によれば、特にトレイローディングタイプの情報記憶装置において、ホストコンピュータ３およびメイン電源稼働部９の電源供給が停止されている間は電源制御装置１３にのみ電力が供給されるので装置全体の電源供給停止時の消費電力を最低限度とすることができるとともに、情報記憶装置に備えた複数のスイッチの押下状態の変化を検出して必要に応じて電源供給を開始し複数のスイッチの論理状態に応じてロード／イジェクト動作を適切に行うことができ、更に行ったロード／イジェクトの動作に応じて電源供給装置７を制御してメイン電源稼働部９およびホストコンピュータ３の電源供給を停止または継続するので、消費電力を最低限度とし、ロード後は媒体の内容に応じた処理を自動的に行うことができる情報処理装置および情報処理装置の電源供給制御方法を提供することができる。
【０１８６】
（実施の形態４）
以下に、請求項４〜１１、請求項２１〜２８、請求項３８〜４５に係る発明の実施の形態について、図１６、１７、１８を用いて説明する。
【０１８７】
図１６は、本発明の情報処理装置をスロットインタイプのＣＤ−Ｒ／ＲＷ記録再生装置に適用した場合の構成のブロック図である。１はリムーバブル媒体で、たとえばＣＤ−ＲＯＭ／Ｒ／ＲＷ、ＤＶＤ−ＲＯＭ／Ｒ／ＲＷ、ＤＶＤ−ＲＡＭ、カートリッジ入りのＤＶＤ−ＲＡＭ、半導体メモリー媒体などである。本実施の形態ではＣＤ−Ｒ／ＲＷディスクである場合を例に説明する。
【０１８８】
図１６において、２は情報記憶装置で、リムーバブル媒体１を装填することで、リムーバブル媒体１内のデータの再生、あるいはリムーバブル媒体１へのデータの記録を行う。３はホストコンピュータで、インターフェイス装置４によって情報記憶装置２と接続されており、このインターフェイス装置４を介して、情報記憶装置２に様々な動作命令を送ったり、情報記憶装置２にて再生したデータを受け取ったりする動作を行う。インターフェイス装置４は、たとえば、ＡＴＡＰＩ、ＳＣＳＩ、ＵＳＢ、ＩＥＥＥ１３９４といった、コンピュータと情報記憶装置との通信の為に規格化されたインターフェイスを使用するのが一般的である。もちろん、インターフェイス装置４として、これらの規格以外のものを用いても、ホストコンピュータ３と情報記憶装置２との間でデータや命令のやりとりができれば、同様に実施可能である。
【０１８９】
５は電源装置で、電源スイッチ６によりＯＮ／ＯＦＦされる電源供給装置７と、電源スイッチ６を操作しても電源装置５に電力が供給されている限り常に電力を供給する常時電源供給装置８とにより構成される。電源供給装置７は、ホストコンピュータ３と、情報記憶装置２内のメイン電源稼働部９と、電源制御装置１３とに電源を供給する。情報記憶装置２内のメイン電源稼働部９は、情報記憶装置２の主機能を動作させるためのもので、ロード／イジェクト制御部１０、ＣＰＵ１１、媒体搬送装置１２や、図示しないリムーバブル媒体再生装置などが含まれる。また、常時電源供給装置８は、情報記憶装置２内の電源制御装置１３に電源を供給する。電源制御装置１３は、電源供給装置７による電源の供給およびその停止を制御するもので、ホストコンピュータ３、メイン電源稼働部９の電源が遮断されている間も、常時電源供給装置８から動作に必要な最低限度の電源が供給され動作している。
【０１９０】
１７は媒体排出スイッチ、１８は媒体挿入検出スイッチである。媒体排出スイッチ１７は、情報記憶装置２の外部に設けられており、使用者が押下することで媒体排出動作を行う。媒体挿入検出スイッチ１８は、装置２の内部に設けられており、リムーバブル媒体１が情報記憶装置２の内部に挿入されたことを検出する。検出されたスイッチ状態、あるいはスイッチ状態の変化にもとづき、電源供給装置７により電源が供給されている場合には、このスイッチ１８に接続されたＣＰＵ１１にて必要な処理を判断してロード／イジェクト制御部１０を動作させ、媒体搬送装置１２を駆動してＬＯＡＤ／ＥＪＥＣＴ動作を行う。媒体搬送装置１２は、たとえばスロットローディング方式の情報記憶装置では、媒体１を搬送するためのローラーや、媒体１を搬送するためのばねやギアの組み合わせによって構成されている。
【０１９１】
次に、ＬＯＡＤ／ＥＪＥＣＴを行う実際の動作の詳細について説明する。
まず、電源供給装置７よりホストコンピュータ３、メイン電源稼働部９に電源が供給されている場合の動作は、前述の図３（ａ）の処理Ａおよび図３（ｂ）の処理Ｂと同一である。次に、電源供給装置７からホストコンピュータ３、メイン電源稼働部９へは電源が供給されておらず、常時電源供給装置８により電源供給装置１３にのみ電源が供給されている場合において、媒体排出スイッチ１７が押下されたきには、前述の図４（ａ）の処理Ｃが実行される。また、電源遮断時の動作は、前述の図５（ｂ）の処理Ｆと同じである。
【０１９２】
以下においては、電源供給装置７からホストコンピュータ３、メイン電源稼働部９へは電源が供給されておらず、常時電源供給装置８により電源供給装置１３にのみ電源が供給されている場合において、媒体挿入スイッチ１８の論理状態が変化したときの動作について説明する。この場合は、図１７の処理ＤＸを実行する。すなわち、まず、媒体挿入スイッチ１８が押されたことを電源制御装置１３が検知して、Ｓ４０１にて、電源供給装置７を制御して、メイン電源稼動部９、ホストコンビュータ３への電源供給を開始する。この際、電源制御装置１３は、ＣＰＵ１１に、電源供給装置７の停止中に媒体挿入検出スイッチ１８の論理が変化したことを通知する（Ｓ４０２）。具体的には、たとえばＣＰＵ１１が電源制御装置１３上のレジスタにアクセスする装置を備えており、メイン電源稼働部９の電源投入後またはリセット時に、状態変化のあったスイッチの情報がレジスタに記憶されており、その論理状態により、電源が投入された原因が、媒体排出スイッチ１７が押下されたか、媒体挿入検出スイッチ１８の論理状態が変化したか、あるいはどちらのスイッチの状態変化にもよらず電源スイッチ６により電源が投入されたかを判断する。
【０１９３】
電源が供給されると、先ほどのＳ４０２の電源制御装置１３の通知によりＣＰＵ１１は、電源供給装置７の停止中に媒体挿入検出スイッチ１８の論理状態が変化したことを検出して、リムーバブル媒体１に記録された予め定めたフォーマットのデータを再生または処理するためのインスタント起動モードでホストコンピュータ３を起動する（Ｓ１７０１）。そして、Ｓ４０７において、情報記憶装置２の構造上の媒体ローディングシーケンスのスイッチ論理変化に従って、ロード／イジェクト制御部１０を動作させて、媒体搬送装置１２を駆動し、リムーバブル媒体１を情報記憶装置２内に引き込む。
【０１９４】
そしてＳ１７０２で情報記憶装置２内部にリムーバブル媒体１が存在するかどうかの判断を行い、存在する場合には媒体１を記録再生可能な状態とする（Ｓ４０８）。
次に、Ｓ１７０３で、インスタント起動のための予め定めた種類のデータが媒体１に記録されているかどうかを判定する。記録されている場合は、データの再生、処理を自動的に開始する（Ｓ１７０４）。そして、Ｓ４１０にて、電源制御装置１３を制御して電源供給が開始された要因情報をリセットして解除することで、電源制御装置１３は動作不能状態となり、次のＳ４１１にてメイン電源稼働部９、ホストコンピュータ３の電源供給がそのまま継続される。
【０１９５】
Ｓ１７０２において装置内に媒体１が存在しなかった場合と、Ｓ１７０３において媒体１に予め定めた種類のデータが記録されていなかった場合とには、次の処理を行うことができる。すなわち、Ｓ１７０５で情報記憶装置２を待機状態にし、Ｓ１７０６で電源制御装置１３を制御して電源供給が開始された要因情報をリセットして解除することで、電源制御装置１３を動作不能状態とし、次のＳ１７０７でメイン電源稼働部９、ホストコンピュータ３への電源供給を停止する。
【０１９６】
Ｓ１７０３において媒体１に予め定めた種類のデータが記録されていなかった場合には、次の処理を行うこともできる。すなわち、Ｓ１７０８で電源制御装置１３を制御して電源供給が開始された要因情報をリセットして解除することで、電源制御装置１３を動作不能状態とし、次のＳ１７０９でホストコンピュータを通常モードで再起動する。
【０１９７】
電源スイッチ６が押下されて電源供給を開始した場合は、インスタントモードによる起動は行われずに、通常モードでの起動となる。この場合は、図１８に示すように、まずＳ５０１において電源供給装置７が遮断されていた状態から電源供給を開始する。これにより情報記憶装置２がハードウエア的にリセットされたときには、通常の電源投入時のイニシャル動作を行う。このイニシャル動作は、電源供給装置７にて電源供給を開始したうえで、電源制御装置１３を動作不能とする（Ｓ５０２）。またホストコンピュータ３をインスタントモードではなく通常モードで起動する（Ｓ１８０１）。そして、装置内部にリムーバブル媒体１が装填されているかどうかを判別し（Ｓ５０３）、装填されている場合は、記録再生可能にする動作を行い（Ｓ５０４）、必要に応じてホストコンピュータ３からの指令により媒体１内のデータの再生または記録動作を行う（Ｓ５０５）。装填されていない場合には、Ｓ５０６にて、情報記憶装置２を待機状態とする。そして、そのまま電源供給を継続する（Ｓ５０７）。
【０１９８】
先ほど説明した、電源供給装置７からホストコンピュータ３、メイン電源稼動部９へは電源が供給されておらず、常時電源供給装置８により電源制御装置１３にのみ電源が供給されている場合において、媒体排出スイッチ１７が押下されたときにも、一時的にホストコンピュータ３が起動するが、このときの起動モードは、インスタントモード、通常モードのどちらになるようにしてもよい。この場合は、起動モードに関係なく、媒体排出動作後、メイン電源稼動部９、ホストコンピュータ３への電源供給を停止することになる。
【０１９９】
この実施の形態４によれば、ＤＶＤ−Ｖｉｄｅｏ、Ｖｉｄｅｏ  ＣＤ、ＣＤ  Ａｕｄｉｏなどの動画、音声データに好適に適用することができる。そのほかにも、制止画、静止画のスライドショー再生、静止画と音声データの組み合わせ、異なる規格の動画データ、音声データなどでも、インスタントモードで起動して再生可能なデータであれば、同様に実施可能である。
【０２００】
通常モードで起動するものとしては、たとえばＭｉｃｒｏｓｏｆｔ社のＷｉｎｄｏｗｓ（登録商標）などの、ハードディスク上にＯＳ本体が記録されており、これをホストコンピュータ本体のメモリー上に展開して起動するために、起動に比較的時間がかかるものなどが考えられる。インスタントモードで起動するものとしては、たとえば、本体ＲＯＭ上に記録されており、ＤＶＤ−Ｖｉｄｅｏ、Ｖｉｄｅｏ  ＣＤ、Ａｕｄｉｏ再生専用のＯＳなしで起動する単体アプリケーションや、ｌｉｎｕｘ、組み込み機器向けＯＳなどの高速起動が可能なものが考えられる。
【０２０１】
ホストコンピュータ３がインスタントモードで起動すると、リムーバブル媒体１上のデータを自動的に再生する。その際に、ホストコンピュータ３に備えられたキーボード、マウスやその他入力装置の操作により、再生の早送り、一時停止、停止、情報処理装置の電源切断、通常モードでの再起動などを行うことができる。当然、電源切断動作は、情報処理装置２の電源スイッチ６にて行うこともできる。
【０２０２】
常時電源供給装置７からの供給電源は、たとえばＡＴＸ規格の＋５Ｖ  ＶＳＢなどの、他の本体電源とは独立して常時電源供給可能な低容量の電源である。もちろん、電源制御装置１３を動作可能であれば、３．３Ｖや、それ以外の電圧の電源でも同様に実施可能である。
【産業上の利用可能性】
【０２０３】
本発明に係る情報処理装置および情報処理装置の電源供給制御方法は、情報記憶装置および制御装置への電力の供給が停止されている間は電源制御装置にのみ電力が供給されるだけであるので、電源供給停止時における装置全体の消費電力を最低限度とすることができるとともに、情報記憶装置に備えたスイッチの押下状態の変化を検出して、必要に応じ電力供給を行ってスイッチの論理状態に応じてロード／イジェクト動作を適切に行うことができ、さらに行ったロード／イジェクトの動作に応じて電源供給装置を制御して情報記憶装置および制御装置への電力供給を停止または継続するので、イジェクト時は消費電力を最低限度とし、媒体挿入を行うことでロード後は情報処理装置が媒体の内容に応じた処理を自動的に行うための、光ディスク記録再生装置、半導体メモリー媒体記録再生装置などとして有効である。
【図面の簡単な説明】
【０２０４】
【図１】本発明の実施の形態１の情報処理装置であって、本発明をスロットインタイプのＣＤ−Ｒ／ＲＷ記録再生装置に適用したものについてのブロック図
【図２】図１のスロットインタイプのＣＤ−Ｒ／ＲＷ記録再生装置にリムーバブル媒体を挿入するときの外観を示す斜視図
【図３】図１の装置における媒体ＬＯＡＤ／ＥＪＥＣＴ処理の流れを示すフローチャート
【図４】図１の装置における他の媒体ＬＯＡＤ／ＥＪＥＣＴ処理の流れを示すフローチャート
【図５】図１の装置におけるさらに他の媒体ＬＯＡＤ／ＥＪＥＣＴ処理の流れを示すフローチャート
【図６】本発明の実施の形態２の情報処理装置であって、本発明をトレイローディングタイプのＣＤ−Ｒ／ＲＷ記録再生装置に適用したものについてのブロック図
【図７】図６のトレイローディングタイプのＣＤ−Ｒ／ＲＷ記録再生装置にリムーバブル媒体を挿入するときの外観を示す斜視図
【図８】図６の装置における媒体ＬＯＡＤ／ＥＪＥＣＴ処理の流れを示すフローチャート
【図９】図６の装置における他の媒体ＬＯＡＤ／ＥＪＥＣＴ処理の流れを示すフローチャート
【図１０】図６の装置におけるさらに他の媒体ＬＯＡＤ／ＥＪＥＣＴ処理の流れを示すフローチャート
【図１１】本発明の実施の形態３の情報処理装置であって、本発明をスリムトレイタイプのＣＤ−Ｒ／ＲＷ記録再生装置に適用したものについてのブロック図
【図１２】図１１のスリムトレイタイプのＣＤ−Ｒ／ＲＷ記録再生装置にリムーバブル媒体を挿入するときの外観を示す斜視図
【図１３】図１１の装置における媒体ＬＯＡＤ／ＥＪＥＣＴ処理の流れを示すフローチャート
【図１４】図１１の装置における他の媒体ＬＯＡＤ／ＥＪＥＣＴ処理の流れを示すフローチャート
【図１５】図１１の装置におけるさらに他の媒体ＬＯＡＤ／ＥＪＥＣＴ処理の流れを示すフローチャート
【図１６】本発明の実施の形態４の情報処理装置であって、本発明をスロットインタイプのＣＤ−Ｒ／ＲＷ記録再生装置に適用したものについてのブロック図
【図１７】図１６の装置における媒体ＬＯＡＤ／ＥＪＥＣＴ処理の流れを示すフローチャート
【図１８】図１６の装置における他の媒体ＬＯＡＤ／ＥＪＥＣＴ処理の流れを示すフローチャート
【符号の説明】
【０２０５】
１    リムーバブル媒体
２    情報記憶装置
３    ホストコンピュータ
６    電源スイッチ
７    電源供給装置
８    常時電源供給装置
１２    媒体搬送装置
１３    電源制御装置
１７    媒体排出スイッチ
１８    媒体挿入検出スイッチ
３１    媒体搬送トレイ
３２    トレイ排出検出スイッチ
３３    トレイ動作スイッチ
５１    トレイロック解除装置
５２    媒体載置トレイ
５３    トレイ排出スイッチ
５４    トレイロック検出スイッチ
【図１】
2005222679.tif 000003
【図２】
2005222679.tif 000004
【図３】
2005222679.tif 000005
【図４】
2005222679.tif 000006
【図５】
2005222679.tif 000007
【図６】
2005222679.tif 000008
【図７】
2005222679.tif 000009
【図８】
2005222679.tif 000010
【図９】
2005222679.tif 000011
【図１０】
2005222679.tif 000012
【図１１】
2005222679.tif 000013
【図１２】
2005222679.tif 000014
【図１３】
2005222679.tif 000015
【図１４】
2005222679.tif 000016
【図１５】
2005222679.tif 000017
【図１６】
2005222679.tif 000018
【図１７】
2005222679.tif 000019
【図１８】
2005222679.tif 000020